(57)【特許請求の範囲】
【請求項１】
第１の通信速度での近接通信である第１の通信を行う第１のマスタ通信手段と、
前記第１の通信速度より高速の第２の通信速度での近接通信である第２の通信を行う第２のマスタ通信手段と、
前記第２の通信を行うための電力の供給を受けるスレーブ通信装置が、前記第２の通信を行うための電力を、無線電力伝送によって送信する電力送信手段と、
前記無線電力伝送によって、前記スレーブ通信装置に供給される電力を監視する監視手段と
を備え、
前記第１のマスタ通信手段は、前記第１の通信によって、前記スレーブ通信装置との間で、相互認証を行い、前記相互認証の成功後に、前記スレーブ通信装置から、前記スレーブ通信装置が第２の通信で消費する最大消費電力に関する情報、前記スレーブ通信装置が行う第２の通信に関する通信情報、及び、前記スレーブ通信装置が無線電力伝送によって電力の供給を受ける無線電力伝送に関する無線電力伝送情報を含む構成情報を受信し、
前記電力送信手段は、前記第１の通信が開始された後に、前記通信情報、及び、前記無線電力伝送情報に基づいて、前記第２のマスタ通信手段が、前記スレーブ通信装置との間で、前記第２の通信を行うことが可能であって、前記電力送信手段が、前記スレーブ通信装置に対して、無線電力伝送による電力の供給を行うことが可能であると判定された場合、前記スレーブ通信装置との間で、前記無線電力伝送を開始し、
前記第２のマスタ通信手段は、前記無線電力伝送が開始された後に、前記スレーブ通信装置との間で、前記第２の通信を開始し、
前記監視手段が監視している前記第２の通信を行うための電力が、前記最大消費電力から設定される閾値を超える場合、前記電力送信手段は、前記無線電力伝送を停止する
通信装置。
【請求項２】
前記通信情報は、前記スレーブ通信装置が行う第２の通信の通信方式、又は、前記スレーブ通信装置が第２の通信に用いるアンテナの配置状態の情報を含む
請求項１に記載の通信装置。
【請求項３】
前記無線電力伝送情報は、前記スレーブ通信装置が電力の供給を受ける無線電力伝送の無線電力伝送方式、又は、前記スレーブ通信装置が前記無線電力伝送によって電力の供給を受けるのに用いるアンテナの配置状態の情報を含む
請求項１に記載の通信装置。
【請求項４】
第１の通信速度での近接通信である第１の通信を行う第１のマスタ通信手段と、
前記第１の通信速度より高速の第２の通信速度での近接通信である第２の通信を行う第２のマスタ通信手段と、
前記第２の通信を行うための電力の供給を受けるスレーブ通信装置が、前記第２の通信を行うための電力を、無線電力伝送によって送信する電力送信手段と、
前記無線電力伝送によって、前記スレーブ通信装置に供給される電力を監視する監視手段と
を備える通信装置の、
前記第１のマスタ通信手段が、前記第１の通信によって、前記スレーブ通信装置との間で、相互認証を行い、前記相互認証の成功後に、前記スレーブ通信装置から、前記スレーブ通信装置が第２の通信で消費する最大消費電力に関する情報、前記スレーブ通信装置が行う第２の通信に関する通信情報、及び、前記スレーブ通信装置が無線電力伝送によって電力の供給を受ける無線電力伝送に関する無線電力伝送情報を含む構成情報を受信し、
前記電力送信手段が、前記第１の通信が開始された後に、前記通信情報、及び、前記無線電力伝送情報に基づいて、前記第２のマスタ通信手段が、前記スレーブ通信装置との間で、前記第２の通信を行うことが可能であって、前記電力送信手段が、前記スレーブ通信装置に対して、無線電力伝送による電力の供給を行うことが可能であると判定された場合、前記スレーブ通信装置との間で、前記無線電力伝送を開始し、
前記第２のマスタ通信手段が、前記無線電力伝送が開始された後に、前記スレーブ通信装置との間で、前記第２の通信を開始し、
前記監視手段が監視している前記第２の通信を行うための電力が、前記最大消費電力から設定される閾値を超える場合、前記電力送信手段が、前記無線電力伝送を停止する
ステップを含む通信方法。
【請求項５】
第１の通信速度での近接通信である第１の通信を行う第１のスレーブ通信手段と、
前記第１の通信速度より高速の第２の通信速度での近接通信である第２の通信を行う第２のスレーブ通信手段と、
前記第２の通信を行うための電力を供給するマスタ通信装置からの無線電力伝送によって送信されてくる、前記第２の通信を行うための電力を受信する電力受信手段と
を備え、
前記第１のスレーブ通信手段は、前記第１の通信によって、前記マスタ通信装置との間で、相互認証を行い、前記相互認証の成功後に、前記第２の通信で消費する最大消費電力に関する情報、通信装置が行う第２の通信に関する通信情報、及び、通信装置が無線電力伝送によって電力の供給を受ける無線電力伝送に関する無線電力伝送情報を含む構成情報を、前記マスタ通信装置に送信し、
前記電力受信手段は、前記マスタ通信装置との間で、前記第１の通信が開始された後に、前記マスタ通信装置からの送信が開始される電力を受信し、
前記第２のスレーブ通信手段は、前記電力受信手段によって受信された電力によって動作を開始し、前記マスタ通信装置との間で、前記第２の通信を開始する
通信装置。
【請求項６】
前記通信情報は、前記通信装置が行う第２の通信の通信方式、又は、前記通信装置が第２の通信に用いるアンテナの配置状態の情報を含む
請求項５に記載の通信装置。
【請求項７】
前記無線電力伝送情報は、前記通信装置が電力の供給を受ける無線電力伝送の無線電力伝送方式、又は、前記通信装置が前記無線電力伝送によって電力の供給を受けるのに用いるアンテナの配置状態の情報を含む
請求項５に記載の通信装置。
【請求項８】
第１の通信速度での近接通信である第１の通信を行う第１のスレーブ通信手段と、
前記第１の通信速度より高速の第２の通信速度での近接通信である第２の通信を行う第２のスレーブ通信手段と、
前記第２の通信を行うための電力を供給するマスタ通信装置からの無線電力伝送によって送信されてくる、前記第２の通信を行うための電力を受信する電力受信手段と
を備える通信装置の、
前記第１のスレーブ通信手段が、前記第１の通信によって、前記マスタ通信装置との間で、相互認証を行い、前記相互認証の成功後に、前記第２の通信で消費する最大消費電力に関する情報、通信装置が行う第２の通信に関する通信情報、及び、通信装置が無線電力伝送によって電力の供給を受ける無線電力伝送に関する無線電力伝送情報を含む構成情報を、前記マスタ通信装置に送信し、
前記電力受信手段が、前記マスタ通信装置との間で、前記第１の通信が開始された後に、前記マスタ通信装置からの送信が開始される電力を受信し、
前記第２のスレーブ通信手段が、前記電力受信手段によって受信された電力によって動作を開始し、前記マスタ通信装置との間で、前記第２の通信を開始する
ステップを含む通信方法。
【請求項９】
電力を供給するマスタ通信装置と、
電力の供給を受けるスレーブ通信装置と
を備え、
前記マスタ通信装置は、
第１の通信速度での近接通信である第１の通信を行う第１のマスタ通信手段と、
前記第１の通信速度より高速の第２の通信速度での近接通信である第２の通信を行う第２のマスタ通信手段と、
前記スレーブ通信装置が、前記第２の通信を行うための電力を、無線電力伝送によって送信する電力送信手段と、
前記無線電力伝送によって、前記スレーブ通信装置に供給される電力を監視する監視手段と
を有し、
前記第１のマスタ通信手段は、前記第１の通信によって、前記スレーブ通信装置との間で、相互認証を行い、前記相互認証の成功後に、前記スレーブ通信装置から、前記スレーブ通信装置が第２の通信で消費する最大消費電力に関する情報、前記スレーブ通信装置が行う第２の通信に関する通信情報、及び、前記スレーブ通信装置が無線電力伝送によって電力の供給を受ける無線電力伝送に関する無線電力伝送情報を含む構成情報を受信し、
前記電力送信手段は、前記第１の通信が開始された後に、前記通信情報、及び、前記無線電力伝送情報に基づいて、前記第２のマスタ通信手段が、前記スレーブ通信装置との間で、前記第２の通信を行うことが可能であって、前記電力送信手段が、前記スレーブ通信装置に対して、無線電力伝送による電力の供給を行うことが可能であると判定された場合、前記スレーブ通信装置との間で、前記無線電力伝送を開始し、
前記第２のマスタ通信手段は、前記無線電力伝送が開始された後に、前記スレーブ通信装置との間で、前記第２の通信を開始し、
前記監視手段が監視している前記第２の通信を行うための電力が、前記最大消費電力から設定される閾値を超える場合、前記電力送信手段は、前記無線電力伝送を停止し、
前記スレーブ通信装置は、
前記第１の通信を行う第１のスレーブ通信手段と、
前記第２の通信を行う第２のスレーブ通信手段と、
前記マスタ通信装置からの無線電力伝送によって送信されてくる、前記第２の通信を行うための電力を受信する電力受信手段と
を有し、
前記第１のスレーブ通信手段は、前記第１の通信によって、前記マスタ通信装置との間で、相互認証を行い、前記相互認証の成功後に、前記第２の通信で消費する最大消費電力に関する情報、前記通信情報、及び、前記無線電力伝送情報を含む構成情報を、前記マスタ通信装置に送信し、
前記電力受信手段は、前記マスタ通信装置との間で、前記第１の通信が開始された後に、前記マスタ通信装置からの送信が開始される電力を受信し、
前記第２のスレーブ通信手段は、前記電力受信手段によって受信された電力によって動作を開始し、前記マスタ通信装置との間で、前記第２の通信を開始する
通信システム。
【請求項１０】
電力を供給するマスタ通信装置と、
電力の供給を受けるスレーブ通信装置と
を備え、
前記マスタ通信装置は、
第１の通信速度での近接通信である第１の通信を行う第１のマスタ通信手段と、
前記第１の通信速度より高速の第２の通信速度での近接通信である第２の通信を行う第２のマスタ通信手段と、
前記スレーブ通信装置が、前記第２の通信を行うための電力を、無線電力伝送によって送信する電力送信手段と、
前記無線電力伝送によって、前記スレーブ通信装置に供給される電力を監視する監視手段と
を有し、
前記スレーブ通信装置は、
前記第１の通信を行う第１のスレーブ通信手段と、
前記第２の通信を行う第２のスレーブ通信手段と、
前記マスタ通信装置からの無線電力伝送によって送信されてくる、前記第２の通信を行うための電力を受信する電力受信手段と
を有する
通信システムの、
前記マスタ通信装置において、
前記第１のマスタ通信手段が、前記第１の通信によって、前記スレーブ通信装置との間で、相互認証を行い、前記相互認証の成功後に、前記スレーブ通信装置から、前記スレーブ通信装置が第２の通信で消費する最大消費電力に関する情報、前記スレーブ通信装置が行う第２の通信に関する通信情報、及び、前記スレーブ通信装置が無線電力伝送によって電力の供給を受ける無線電力伝送に関する無線電力伝送情報を含む構成情報を受信し、
前記電力送信手段が、前記第１の通信が開始された後に、前記通信情報、及び、前記無線電力伝送情報に基づいて、前記第２のマスタ通信手段が、前記スレーブ通信装置との間で、前記第２の通信を行うことが可能であって、前記電力送信手段が、前記スレーブ通信装置に対して、無線電力伝送による電力の供給を行うことが可能であると判定された場合、前記スレーブ通信装置との間で、前記無線電力伝送を開始し、
前記第２のマスタ通信手段が、前記無線電力伝送が開始された後に、前記スレーブ通信装置との間で、前記第２の通信を開始し、
前記監視手段が監視している前記第２の通信を行うための電力が、前記最大消費電力から設定される閾値を超える場合、前記電力送信手段が、前記無線電力伝送を停止する
ステップと、
前記スレーブ通信装置において、
前記第１のスレーブ通信手段が、前記第１の通信によって、前記マスタ通信装置との間で、相互認証を行い、前記相互認証の成功後に、前記第２の通信で消費する最大消費電力に関する情報、前記通信情報、及び、前記無線電力伝送情報を含む構成情報を、前記マスタ通信装置に送信し、
前記電力受信手段が、前記マスタ通信装置との間で、前記第１の通信が開始された後に、前記マスタ通信装置からの送信が開始される電力を受信し、
前記第２のスレーブ通信手段が、前記電力受信手段によって受信された電力によって動作を開始し、前記マスタ通信装置との間で、前記第２の通信を開始する
ステップと
を含む通信方法。
【発明の詳細な説明】
【技術分野】
【０００１】
本発明は、通信装置、通信方法、及び、通信システムに関し、特に、例えば、高速な近接通信において、無駄な電力の消費を抑制することができるようにする通信装置、通信方法、及び、通信システムに関する。
【背景技術】
【０００２】
近年、IC(Integrated Circuit)カード等を用いて、近距離で非接触により無線通信を行う近接通信が、例えば、電子定期券や、電子マネー等で利用されており、また、近接通信を利用した電子定期券や、電子マネーの機能を有する携帯電話機が広く普及してきている。
【０００３】
近接通信は、例えば、ISO/IEC 14443や、ISO/IEC 18092（以下、NFC(Near Field Communication)ともいう)として規格化されている。
【０００４】
NFCの規格に準拠した通信を行う通信方式としては、例えば、タイプA、タイプB、タイプCと呼ばれている通信方式がある。
【０００５】
例えば、本件出願人であるソニー株式会社のFeliCa（登録商標）と呼ばれるICカードシステムでは、タイプCが採用されている。
【０００６】
ところで、例えば、上述のタイプCでは、13.56MHzのキャリアが採用され、212kbps(kilo bit per second)や、424kbpsの通信速度で、近接通信が行われる。
【０００７】
また、タイプA及びBでは、タイプCよりも低速である106kbpsの通信速度で、近接通信が行われる。
【０００８】
以上のように、NFCの通信速度は、数百kbps程度で、低速であるため、例えば、画像のコンテンツ等の大容量のデータの伝送に適切であるとは、いえない。
【０００９】
一方、NFCでは、ICカードをRW(Reader/Writer)かざすだけで、通信相手を特定し、相互認証を行うことができる。
【００１０】
そこで、最初に、NFCで通信を開始し、その後、通信速度がNFCよりも高速な、例えば、無線LANや、Bluetooth（登録商標）等の高速通信に、通信方式を切り替えるハンドオーバが提案されている（例えば、特許文献１を参照）。
【先行技術文献】
【特許文献】
【００１１】
【特許文献１】特開2009-218845号公報
【発明の概要】
【発明が解決しようとする課題】
【００１２】
ところで、最近では、NFCよりも高速な通信速度での近接通信が普及しつつある。そのような高速な近接通信の通信方式としては、例えば、TransferJet（登録商標）がある。
【００１３】
TransferJet（登録商標）では、4.48GHzのキャリアが採用され、最高で、560Mbpsの通信速度で、近接通信が行われる。
【００１４】
以上のようなTransferJet（登録商標）を、ICカードシステムに適用することで、ICカードと、そのICカードに対するデータの読み書きを行うRWとの間では、画像のコンテンツ等の大容量のデータの伝送を、迅速に行うことができる。
【００１５】
ところで、TransferJet（登録商標）等の高速な近接通信を行うICカードを、例えば、クレジットカード程度のサイズ等の小型に構成する場合には、そのICカードに、バッテリを搭載することは困難である。
【００１６】
また、仮に、ICカードにバッテリを搭載することができたとしても、外出先等で、バッテリが切れて、ICカードを使用することができないのでは、携帯に便利なように、ICカードを小型に構成したことの利便性が損なわれることになる。
【００１７】
そこで、ICカードにおいて、高速な近接通信は、RWから、電源となる電力の供給を受けて行うことができることが望ましい。
【００１８】
FeliCa（登録商標）等の低速な近接通信を行うICカードでは、その近接通信に用いられるRF信号から得られる電力を電源として、近接通信を行うことができる。
【００１９】
しかしながら、TransferJet（登録商標）等の高速な近接通信を行うICカードでは、高速な動作が要求されることから、必要となる電力が、低速な近接通信に比較して大であるため、近接通信に用いられるRF信号から得られる電力では、高速な近接通信を行うのに必要な電力を得ることが困難である。
【００２０】
そこで、高速な近接通信を行うICカードでは、RWから、例えば、無線電力伝送等の、高速な近接通信を行うために十分な電力の供給を受ける手段によって、高速な近接通信を行うための電力の供給を受ける必要がある。
【００２１】
すなわち、高速な近接通信を行うICカードについては、RWに、高速な近接通信を行う機能の他、無線電力伝送を行う機能を搭載し、RWとICカードとが近接した場合に、RWから、ICカードに対して、無線電力伝送により、ICカードが高速な近接通信を行うための電力を供給（送信）する必要がある。
【００２２】
以上のように、RWとICカードとが近接した場合に、RWから、ICカードに対して、無線電力伝送により、電力を供給するときに、RWとICカードとの間に、例えば、金属製のクリップ等の導体が挟まっていると、RWにおいて、ICカードが高速な近接通信に必要とする電力を上回る電力を供給する無線電力伝送が行われることがある。
【００２３】
そして、ICカードが高速な近接通信に必要とする電力を上回る電力を供給する無線電力伝送が行われることは、RWにおいて、無駄な電力が消費されることになる。
【００２４】
本発明は、このような状況に鑑みてなされたものであり、近接通信において、無駄な電力の消費を抑制することができるようにするものである。
【課題を解決するための手段】
【００２５】
本発明の第１の側面の通信装置は、第１の通信速度での近接通信である第１の通信を行う第１のマスタ通信手段と、前記第１の通信速度より高速の第２の通信速度での近接通信である第２の通信を行う第２のマスタ通信手段と、前記第２の通信を行うための電力の供給を受けるスレーブ通信装置が、前記第２の通信を行うための電力を、無線電力伝送によって送信する電力送信手段と、前記無線電力伝送によって、前記スレーブ通信装置に供給される電力を監視する監視手段とを備え、前記第１のマスタ通信手段は、前記第１の通信によって、前記スレーブ通信装置との間で、相互認証を行い、前記相互認証の成功後に、前記スレーブ通信装置から、前記スレーブ通信装置が第２の通信で消費する最大消費電力に関する情報、前記スレーブ通信装置が行う第２の通信に関する通信情報、及び、前記スレーブ通信装置が無線電力伝送によって電力の供給を受ける無線電力伝送に関する無線電力伝送情報を含む構成情報を受信し、前記電力送信手段は、前記第１の通信が開始された後に、前記通信情報、及び、前記無線電力伝送情報に基づいて、前記第２のマスタ通信手段が、前記スレーブ通信装置との間で、前記第２の通信を行うことが可能であって、前記電力送信手段が、前記スレーブ通信装置に対して、無線電力伝送による電力の供給を行うことが可能であると判定された場合、前記スレーブ通信装置との間で、前記無線電力伝送を開始し、前記第２のマスタ通信手段は、前記無線電力伝送が開始された後に、前記スレーブ通信装置との間で、前記第２の通信を開始し、前記監視手段が監視している前記第２の通信を行うための電力が、前記最大消費電力から設定される閾値を超える場合、前記電力送信手段は、前記無線電力伝送を停止する通信装置である。
【００２６】
本発明の第１の側面の通信方法は、第１の通信速度での近接通信である第１の通信を行う第１のマスタ通信手段と、前記第１の通信速度より高速の第２の通信速度での近接通信である第２の通信を行う第２のマスタ通信手段と、前記第２の通信を行うための電力の供給を受けるスレーブ通信装置が、前記第２の通信を行うための電力を、無線電力伝送によって送信する電力送信手段と、前記無線電力伝送によって、前記スレーブ通信装置に供給される電力を監視する監視手段とを備える通信装置の、前記第１のマスタ通信手段が、前記第１の通信によって、前記スレーブ通信装置との間で、相互認証を行い、前記相互認証の成功後に、前記スレーブ通信装置から、前記スレーブ通信装置が第２の通信で消費する最大消費電力に関する情報、前記スレーブ通信装置が行う第２の通信に関する通信情報、及び、前記スレーブ通信装置が無線電力伝送によって電力の供給を受ける無線電力伝送に関する無線電力伝送情報を含む構成情報を受信し、前記電力送信手段が、前記第１の通信が開始された後に、前記通信情報、及び、前記無線電力伝送情報に基づいて、前記第２のマスタ通信手段が、前記スレーブ通信装置との間で、前記第２の通信を行うことが可能であって、前記電力送信手段が、前記スレーブ通信装置に対して、無線電力伝送による電力の供給を行うことが可能であると判定された場合、前記スレーブ通信装置との間で、前記無線電力伝送を開始し、前記第２のマスタ通信手段が、前記無線電力伝送が開始された後に、前記スレーブ通信装置との間で、前記第２の通信を開始し、前記監視手段が監視している前記第２の通信を行うための電力が、前記最大消費電力から設定される閾値を超える場合、前記電力送信手段が、前記無線電力伝送を停止するステップを含む通信方法である。
【００２７】
以上のような第１の側面においては、前記第１の通信によって、前記スレーブ通信装置との間で、相互認証を行い、前記相互認証の成功後に、前記スレーブ通信装置から、前記スレーブ通信装置が第２の通信で消費する最大消費電力に関する情報、前記スレーブ通信装置が行う第２の通信に関する通信情報、及び、前記スレーブ通信装置が無線電力伝送によって電力の供給を受ける無線電力伝送に関する無線電力伝送情報を含む構成情報が受信され、前記第１の通信が開始された後に、前記通信情報、及び、前記無線電力伝送情報に基づいて、前記第２のマスタ通信手段が、前記スレーブ通信装置との間で、前記第２の通信を行うことが可能であって、前記電力送信手段が、前記スレーブ通信装置に対して、無線電力伝送による電力の供給を行うことが可能であると判定された場合、前記スレーブ通信装置との間で、前記無線電力伝送が開始される。そして、前記無線電力伝送が開始された後に、前記スレーブ通信装置との間で、前記第２の通信が開始される。前記スレーブ通信装置に供給される前記第２の通信を行うための電力が、前記最大消費電力から設定される閾値を超える場合、前記無線電力伝送が停止される。
【００２８】
本発明の第２の側面の通信装置は、第１の通信速度での近接通信である第１の通信を行う第１のスレーブ通信手段と、前記第１の通信速度より高速の第２の通信速度での近接通信である第２の通信を行う第２のスレーブ通信手段と、前記第２の通信を行うための電力を供給するマスタ通信装置からの無線電力伝送によって送信されてくる、前記第２の通信を行うための電力を受信する電力受信手段とを備え、前記第１のスレーブ通信手段は、前記第１の通信によって、前記マスタ通信装置との間で、相互認証を行い、前記相互認証の成功後に、前記第２の通信で消費する最大消費電力に関する情報、通信装置が行う第２の通信に関する通信情報、及び、通信装置が無線電力伝送によって電力の供給を受ける無線電力伝送に関する無線電力伝送情報を含む構成情報を、前記マスタ通信装置に送信し、前記電力受信手段は、前記マスタ通信装置との間で、前記第１の通信が開始された後に、前記マスタ通信装置からの送信が開始される電力を受信し、前記第２のスレーブ通信手段は、前記電力受信手段によって受信された電力によって動作を開始し、前記マスタ通信装置との間で、前記第２の通信を開始する通信装置である。
【００２９】
本発明の第２の側面の通信方法は、第１の通信速度での近接通信である第１の通信を行う第１のスレーブ通信手段と、前記第１の通信速度より高速の第２の通信速度での近接通信である第２の通信を行う第２のスレーブ通信手段と、前記第２の通信を行うための電力を供給するマスタ通信装置からの無線電力伝送によって送信されてくる、前記第２の通信を行うための電力を受信する電力受信手段とを備える通信装置の、前記第１のスレーブ通信手段が、前記第１の通信によって、前記マスタ通信装置との間で、相互認証を行い、前記相互認証の成功後に、前記第２の通信で消費する最大消費電力に関する情報、通信装置が行う第２の通信に関する通信情報、及び、通信装置が無線電力伝送によって電力の供給を受ける無線電力伝送に関する無線電力伝送情報を含む構成情報を、前記マスタ通信装置に送信し、前記電力受信手段が、前記マスタ通信装置との間で、前記第１の通信が開始された後に、前記マスタ通信装置からの送信が開始される電力を受信し、前記第２のスレーブ通信手段が、前記電力受信手段によって受信された電力によって動作を開始し、前記マスタ通信装置との間で、前記第２の通信を開始するステップを含む通信方法である。
【００３０】
以上のような第２の側面においては、前記第１の通信によって、前記マスタ通信装置との間で、相互認証を行い、前記相互認証の成功後に、前記第２の通信で消費する最大消費電力に関する情報、通信装置が行う第２の通信に関する通信情報、及び、通信装置が無線電力伝送によって電力の供給を受ける無線電力伝送に関する無線電力伝送情報を含む構成情報が、前記マスタ通信装置に送信され、前記マスタ通信装置との間で、前記第１の通信が開始された後に、前記マスタ通信装置からの送信が開始される電力が受信される。そして、その電力によって動作が開始され、前記マスタ通信装置との間で、前記第２の通信が開始される。
【００３１】
本発明の第３の側面の通信システムは、電力を供給するマスタ通信装置と、電力の供給を受けるスレーブ通信装置とを備え、前記マスタ通信装置は、第１の通信速度での近接通信である第１の通信を行う第１のマスタ通信手段と、前記第１の通信速度より高速の第２の通信速度での近接通信である第２の通信を行う第２のマスタ通信手段と、前記第スレーブ通信装置が、前記第２の通信を行うための電力を、無線電力伝送によって送信する電力送信手段と、前記無線電力伝送によって、前記スレーブ通信装置に供給される電力を監視する監視手段とを有し、前記第１のマスタ通信手段は、前記第１の通信によって、前記スレーブ通信装置との間で、相互認証を行い、前記相互認証の成功後に、前記スレーブ通信装置から、前記スレーブ通信装置が第２の通信で消費する最大消費電力に関する情報、前記スレーブ通信装置が行う第２の通信に関する通信情報、及び、前記スレーブ通信装置が無線電力伝送によって電力の供給を受ける無線電力伝送に関する無線電力伝送情報を含む構成情報を受信し、前記電力送信手段は、前記第１の通信が開始された後に、前記通信情報、及び、前記無線電力伝送情報に基づいて、前記第２のマスタ通信手段が、前記スレーブ通信装置との間で、前記第２の通信を行うことが可能であって、前記電力送信手段が、前記スレーブ通信装置に対して、無線電力伝送による電力の供給を行うことが可能であると判定された場合、前記スレーブ通信装置との間で、前記無線電力伝送を開始し、前記第２のマスタ通信手段は、前記無線電力伝送が開始された後に、前記スレーブ通信装置との間で、前記第２の通信を開始し、前記監視手段が監視している前記第２の通信を行うための電力が、前記最大消費電力から設定される閾値を超える場合、前記電力送信手段は、前記無線電力伝送を停止し、前記スレーブ通信装置は、前記第１の通信を行う第１のスレーブ通信手段と、前記第２の通信を行う第２のスレーブ通信手段と、前記マスタ通信装置からの無線電力伝送によって送信されてくる、前記第２の通信を行うための電力を受信する電力受信手段とを有し、前記第１のスレーブ通信手段は、前記第１の通信によって、前記マスタ通信装置との間で、相互認証を行い、前記相互認証の成功後に、前記第２の通信で消費する最大消費電力に関する情報、前記通信情報、及び、前記無線電力伝送情報を含む構成情報を、前記マスタ通信装置に送信し、前記電力受信手段は、前記マスタ通信装置との間で、前記第１の通信が開始された後に、前記マスタ通信装置からの送信が開始される電力を受信し、前記第２のスレーブ通信手段は、前記電力受信手段によって受信された電力によって動作を開始し、前記マスタ通信装置との間で、前記第２の通信を開始する通信システムである。
【００３２】
本発明の第３の側面の通信方法は、電力を供給するマスタ通信装置と、電力の供給を受けるスレーブ通信装置とを備え、前記マスタ通信装置は、第１の通信速度での近接通信である第１の通信を行う第１のマスタ通信手段と、前記第１の通信速度より高速の第２の通信速度での近接通信である第２の通信を行う第２のマスタ通信手段と、前記スレーブ通信装置が、前記第２の通信を行うための電力を、無線電力伝送によって送信する電力送信手段と、前記無線電力伝送によって、前記スレーブ通信装置に供給される電力を監視する監視手段とを有し、前記スレーブ通信装置は、前記第１の通信を行う第１のスレーブ通信手段と、前記第２の通信を行う第２のスレーブ通信手段と、前記マスタ通信装置からの無線電力伝送によって送信されてくる、前記第２の通信を行うための電力を受信する電力受信手段とを有する通信システムの、前記マスタ通信装置において、前記第１のマスタ通信手段が、前記第１の通信によって、前記スレーブ通信装置との間で、相互認証を行い、前記相互認証の成功後に、前記スレーブ通信装置から、前記スレーブ通信装置が第２の通信で消費する最大消費電力に関する情報、前記スレーブ通信装置が行う第２の通信に関する通信情報、及び、前記スレーブ通信装置が無線電力伝送によって電力の供給を受ける無線電力伝送に関する無線電力伝送情報を含む構成情報を受信し、前記電力送信手段が、前記第１の通信が開始された後に、前記通信情報、及び、前記無線電力伝送情報に基づいて、前記第２のマスタ通信手段が、前記スレーブ通信装置との間で、前記第２の通信を行うことが可能であって、前記電力送信手段が、前記スレーブ通信装置に対して、無線電力伝送による電力の供給を行うことが可能であると判定された場合、前記スレーブ通信装置との間で、前記無線電力伝送を開始し、前記第２のマスタ通信手段が、前記無線電力伝送が開始された後に、前記スレーブ通信装置との間で、前記第２の通信を開始し、前記監視手段が監視している前記第２の通信を行うための電力が、前記最大消費電力から設定される閾値を超える場合、前記電力送信手段が、前記無線電力伝送を停止するステップと、前記スレーブ通信装置において、前記第１のスレーブ通信手段が、前記第１の通信によって、前記マスタ通信装置との間で、相互認証を行い、前記相互認証の成功後に、前記第２の通信で消費する最大消費電力に関する情報、前記通信情報、及び、前記無線電力伝送情報を含む構成情報を、前記マスタ通信装置に送信し、前記電力受信手段が、前記マスタ通信装置との間で、前記第１の通信が開始された後に、前記マスタ通信装置からの送信が開始される電力を受信し、前記第２のスレーブ通信手段が、前記電力受信手段によって受信された電力によって動作を開始し、前記マスタ通信装置との間で、前記第２の通信を開始するステップとを含む通信方法である。
【００３３】
以上のような第３の側面においては、前記マスタ通信装置において、前記第１の通信によって、前記スレーブ通信装置との間で、相互認証を行い、前記相互認証の成功後に、前記スレーブ通信装置から、前記スレーブ通信装置が第２の通信で消費する最大消費電力に関する情報、前記スレーブ通信装置が行う第２の通信に関する通信情報、及び、前記スレーブ通信装置が無線電力伝送によって電力の供給を受ける無線電力伝送に関する無線電力伝送情報を含む構成情報が受信され、前記第１の通信が開始された後に、前記通信情報、及び、前記無線電力伝送情報に基づいて、前記第２のマスタ通信手段が、前記スレーブ通信装置との間で、前記第２の通信を行うことが可能であって、前記電力送信手段が、前記スレーブ通信装置に対して、無線電力伝送による電力の供給を行うことが可能であると判定された場合、前記スレーブ通信装置との間で、前記無線電力伝送が開始される。そして、前記無線電力伝送が開始された後に、前記スレーブ通信装置との間で、前記第２の通信が開始されるが、前記スレーブ通信装置に供給される前記第２の通信を行うための電力が、前記最大消費電力から設定される閾値を超える場合、前記無線電力伝送が停止される。一方、前記スレーブ通信装置では、前記第１の通信によって、前記マスタ通信装置との間で、相互認証を行い、前記相互認証の成功後に、前記第２の通信で消費する最大消費電力に関する情報、前記通信情報、及び、前記無線電力伝送情報を含む構成情報が、前記マスタ通信装置に送信され、前記マスタ通信装置との間で、前記第１の通信が開始された後に、前記マスタ通信装置からの送信が開始される電力が受信される。そして、その電力によって動作が開始され、前記マスタ通信装置との間で、前記第２の通信が開始される。
【００３４】
なお、通信装置や通信システムは、独立した装置であっても良いし、１つの装置を構成している内部ブロックであっても良い。
【発明の効果】
【００３５】
本発明の第１ないし第３の側面によれば、近接通信において、無駄な電力の消費を抑制することができる。
【図面の簡単な説明】
【００３６】
【図１】本発明を適用した通信システムの一実施の形態の構成例を示すブロック図である。
【図２】非接触通信メディア１００のハードウェアの構成例を示すブロック図である。
【図３】非接触通信メディア１００の物理的な構成例を示す平面図である。
【図４】非接触通信メディア１０１のハードウェアの構成例を示すブロック図である。
【図５】非接触通信メディア１００の物理的な構成例を示す平面図である。
【図６】RW２００のハードウェアの構成例を示すブロック図である。
【図７】メディア構成情報のデータ構造の例を示す図である。
【図８】非接触通信メディア１００が、RW２００と近接したときの、非接触通信メディア１００、及び、RW２００の処理を説明する図である。
【図９】RW２００が行う無線電力伝送の処理を説明する図である。
【図１０】RW２００が行う高速通信の処理を説明する図である。
【図１１】RW２００の処理を説明するフローチャートである。
【図１２】RW２００の処理を説明するフローチャートである。
【図１３】RW２００の処理を説明するフローチャートである。
【発明を実施するための形態】
【００３７】
［本発明を適用した通信システムの一実施の形態］
【００３８】
図１は、本発明を適用した通信システム（システムとは、複数の装置が論理的に集合した物をいい、各構成の装置が、同一筐体中にあるか否かは、問わない）の一実施の形態の構成例を示すブロック図である。
【００３９】
図１において、通信システムは、非接触通信メディア１００又は１０１，ＲＷ２００、及び、上位機器２９０を有する。
【００４０】
非接触通信メディア１００及び１０１は、それぞれ、例えば、現在流通しているクレジットカード程度のサイズのカード型の記憶メディアであり、RW２００との間で、近接通信を行うことにより、データのやりとりを行う。
【００４１】
なお、非接触通信メディア１００と１０１とは、例えば、非接触通信メディア１０１が、非接触通信メディア１００よりも先行して製造されたモデル（以下、旧型モデルともいう）であり、非接触通信メディア１００が、非接触通信メディア１０１の一部が改良された、いわば新型のモデル（以下、新型モデルともいう）である点で異なる。
【００４２】
RW２００は、非接触通信メディア１００や１０１との間で、近接通信を行い、上位機器２９０からの制御に従い、非接触通信メディア１００や１０１に、データを記憶させ（書き込み）、また、非接触通信メディア１００や１０１からデータを読み出す。
【００４３】
上位機器２９０は、例えば、PC(Personal Computer)や、TV（テレビジョン受像機）、レコーダ等の、画像（静止画、動画）や、音楽、プログラム等のコンテンツ等のデータの提供、又は、記憶（記録）をすることができる機器であり、RW２００を介して、非接触通信メディア１００や１０１との間で、データのやりとりを行う。
【００４４】
すなわち、上位機器２９０は、RW２００を制御して、データを、非接触通信メディア１００や１０１に記憶させ、また、データを、非接触通信メディア１００や１０１から読み出す。
【００４５】
以上のように構成される通信システムでは、RW２００（マスタ通信装置）が、上位機器２９０に装着（接続）されると、無線によるポーリングを開始する。
【００４６】
その後、非接触通信メディア１００又は１０１が、RW２００にかざされること等によって、RW２００と近接した状態になると、そのRW２００と近接した状態になった非接触通信メディア１００又は１０１（スレーブ通信装置）は、RW２００からの、無線によるポーリングに対して応答し、これにより、非接触通信メディア１００又は１０１とRW２００とが近接通信を開始する。
【００４７】
そして、RW２００は、上位機器２９０の制御に従って、非接触通信メディア１００若しくは１０１に、上位機器２９０から供給されるコンテンツ等のデータを記憶させ（書き込み）、又は、非接触通信メディア１００若しくは１０１からコンテンツ等のデータを読み出して、上位機器２９０に供給する。
【００４８】
［非接触通信メディア１００の構成例］
【００４９】
図２は、図１の非接触通信メディア１００のハードウェアの構成例を示すブロック図である。
【００５０】
非接触通信メディア１００は、無線により、RW２００との間で、後述する高速通信である近接通信を行うための、無線電力伝送によって送信されてくる電力を受信するスレーブ通信装置として機能する。
【００５１】
非接触通信メディア１００は、メディア制御用CPU(Central Processing Unit)１１０、不揮発メモリ１１１、高速通信スレーブコントローラ１１２、高速通信アンテナ１１３、低速通信チップ１２０、低速通信アンテナ１２１、電力受信制御部１３０、及び、電力受信アンテナ１３１を有する。
【００５２】
メディア制御用CPU１１０は、不揮発メモリ１１１、及び、高速通信スレーブコントローラ１１２とバスを介して接続されており、不揮発メモリ１１１、及び、高速通信スレーブコントローラ１１２を制御する。
【００５３】
不揮発メモリ１１１は、大容量（例えば、6Gバイトや8Gバイト等）の、例えば、NAND型のフラッシュメモリであり、メディア制御用CPU１１０の制御に従って、メディア制御用CPU１１０から供給されるコンテンツ等のデータを記憶し、また、記憶しているデータを読み出して、メディア制御用CPU１１０に供給する。
【００５４】
高速通信スレーブコントローラ１１２は、高速通信アンテナ１１３と接続されており、この高速通信アンテナ１１３を介して、無線により、RW２００との間で、後述する低速通信チップ１２０の通信速度（第１の通信速度）より高速の通信速度（第２の通信速度）での近接通信（第２の通信）（以下、高速通信ともいう）を行う第２のスレーブ通信手段として機能する。
【００５５】
ここで、高速通信スレーブコントローラ１１２と、RW２００との間で行われる高速通信の通信方式としては、例えば、高速な近接通信を行うことが可能なTransferJet（登録商標）を採用することができる。その他、高速通信の通信方式としては、例えば、無線LANや、ワイヤレスUSB(Universal Serial Bus)、Bluetooth（登録商標）等の高速無線通信規格に準拠した通信方式を採用することができる。
【００５６】
なお、本実施の形態では、高速通信の通信方式として、TransferJet（登録商標）を採用することとし、したがって、高速通信では、4.48GHzのキャリアで、最高で、560Mbpsの通信速度の近接通信が行われることとする。
【００５７】
低速通信チップ１２０は、低速通信アンテナ１２１と接続されており、この低速通信アンテナ１２１を介して、無線により、RW２００との間で、所定の通信速度（第１の通信速度）での近接通信（第１の通信）を行う第１のスレーブ通信手段として機能する。
【００５８】
ここで、低速通信チップ１２０がRW２００との間で行う近接通信は、高速通信スレーブコントローラ１１２が行う高速通信の通信速度よりも低速な通信速度での通信（以下、低速通信ともいう）であり、その通信方式としては、例えば、所定の通信速度での近接通信を行うことが可能なFeliCa（登録商標）を採用することができる。その他、低速通信の通信方式としては、NFC等の無線通信規格に準拠した通信方式（例えば、タイプAやB等）を採用することができる。
【００５９】
なお、本実施の形態では、低速通信の通信方式として、FeliCa（登録商標）を採用することとし、したがって、低速通信では、13.56MHzのキャリアで、212kbpsの通信速度の近接通信が行われることとする。すなわち、低速通信チップ１２０としては、FeliCa（登録商標）の近接通信を行う、耐タンパ性を有するICチップを採用することとする。
【００６０】
また、低速通信の通信方式として、FeliCa（登録商標）を採用する場合には、低速通信としては、セキュアな通信が可能であり、相互認証を行って、セキュアな通信を行うことができる。
【００６１】
ここで、以上のように、低速通信チップ１２０が行う近接通信（低速通信）は、高速通信スレーブコントローラ１１２が行う近接通信（高速通信）よりも低速であるが、そのような低速な近接通信を行う低速通信チップ１２０には、高速な動作が要求されない。
【００６２】
したがって、低速通信チップ１２０の動作に必要な電力（低速通信に必要な電力）は、高速通信スレーブコントローラ１１２の動作に必要な電力（低速通信に必要な電力）に比較して小さい。
【００６３】
例えば、上述のように、低速通信の通信方式として、FeliCa（登録商標）を採用するとともに、高速通信の通信方式として、TransferJet（登録商標）を採用する場合には、FeliCa（登録商標）での通信に必要な電力は、TransferJet（登録商標）での通信に必要な電力の２桁程度小さい電力である。
【００６４】
以上のように、低速通信に必要な電力は、小さいため、低速通信チップ１２０は、低速通信アンテナ１２１で受信される、RW２００からの低速通信用のRF信号から得られる電力を電源として動作し、低速通信を行う。
【００６５】
電力受信制御部１３０は、電力受信アンテナ１３１と接続されており、電力受信アンテナ１３１を介して、RW２００からの無線電力伝送によって送信されてくる、高速通信を行うための電力を受信し、メディア制御用CPU１１０、不揮発メモリ１１１、及び、高速通信スレーブコントローラ１１２に供給する。
【００６６】
ここで、メディア制御用CPU１１０、不揮発メモリ１１１、及び、高速通信スレーブコントローラ１１２は、以上のように、電力受信制御部１３０から供給される電力を電源として動作し、高速通信を行う。
【００６７】
なお、電力受信制御部１３０とRW２００との間で行われる無線電力伝送の伝送方式としては、例えば、電磁誘導型を採用することができる。また、無線電力伝送の伝送方式としては、その他、例えば、磁気共鳴型等の無線電力伝送方式を採用することができる。
【００６８】
電磁誘導型による無線電力伝送は、磁気共鳴型による無線電力伝送に比較して、電力の伝送効率はよいが、アンテナの位置ずれ（電力を送信するためのアンテナと、電力を受信するためのアンテナとの位置のずれ）に弱い。逆に、磁気共鳴型による無線電力伝送は、電磁誘導型による無線電力伝送に比較して、アンテナの位置ずれに強いが、電力の伝送効率が劣る。
【００６９】
ここで、非接触通信メディア１００において、メディア制御用CPU(Central Processing Unit)１１０、不揮発メモリ１１１、高速通信スレーブコントローラ１１２、及び、電力受信制御部１３０は、RW２００による無線電力伝送によって送信（伝送）される電力によって動作し、低速通信チップ１２０は、RW２００からの低速通信用のRF信号から得られる電力によって動作する。
【００７０】
このため、非接触通信メディア１００は、電源（バッテリ）を有しておらず、電子定期券や電子マネー等としてのICカード（やICチップ）と同程度のサイズのカード型に（小型に）構成することができる。
【００７１】
図３は、図２の非接触通信メディア１００の物理的な構成例を示す平面図である。
【００７２】
非接触通信メディア１００は、略長方形状のカード底部材３００と、そのカード底部材３００と同様の形状の図示せぬ部材とを貼り合わせて、クレジットカード程度のサイズのカード形状に構成されている。
【００７３】
カード底部材３００には、図３に示すように、高速通信アンテナ１１３、低速通信チップ１２０、低速通信アンテナ１２１、電力受信アンテナ１３１、及び、メディア制御基板３１０が配置される。
【００７４】
メディア制御基板３１０には、メディア制御用CPU１１０、不揮発メモリ１１１、高速通信スレーブコントローラ１１２、及び、電力受信制御部１３０が配置される。
【００７５】
なお、低速通信アンテナ１２１は、図３に示すように、カード底部材３００の外周の内側部分に、コイル状に配置され、低速通信チップ１２０と接続されており、低速通信チップ１２０は、メディア制御基板３１０に配置された各ブロックとは、独立して動作する。
【００７６】
また、カード底部材３００の中心部分には、図３に示すように、高速通信アンテナ１１３と、コイル状の電力受信アンテナ１３１とが配置されている。
【００７７】
以上のような高速通信アンテナ１１３、低速通信アンテナ１２１、及び、電力受信アンテナ１３１の配置によって、非接触通信メディア１００が、表側（例えば、カード上部材４００側）、及び、裏側（例えば、カード底部材３００）のうちのいずれを向けて、RW２００にかざされても、非接触通信メディア１００とRW２００との間で、低速通信、高速通信、及び、無線電力伝送を行うことができる。
【００７８】
［非接触通信メディア１０１の構成例］
【００７９】
図４は、図１の非接触通信メディア１０１のハードウェアの構成例を示すブロック図である。
【００８０】
非接触通信メディア１０１は、非接触通信メディア１００と同様に、RW２００との間で、高速通信を行うための、無線電力伝送によって送信されてくる電力を受信するスレーブ通信装置として機能する。
【００８１】
非接触通信メディア１０１は、メディア制御用CPU１１１０、不揮発メモリ１１１１、高速通信スレーブコントローラ１１１２、高速通信アンテナ１１１３、低速通信チップ１１２０、低速通信アンテナ１１２１、電力受信制御部１１３０、及び、電力受信アンテナ１１３１を有する。
【００８２】
メディア制御用CPU１１１０ないし電力受信アンテナ１１３１は、図２の非接触通信メディア１００のメディア制御用CPU１１０ないし電力受信アンテナ１３１とそれぞれ同様に構成される。
【００８３】
なお、上述したように、非接触通信メディア１０１は、旧型モデルであり、メディア制御用CPU１１１０ないし電力受信アンテナ１１３１のうちの、高速通信スレーブコントローラ１１１２、高速通信アンテナ１１１３、電力受信制御部１１３０、及び、電力受信アンテナ１１３１のうちの１以上が改良されたものが、新型モデルである非接触通信メディア１００（図２、図３）の高速通信スレーブコントローラ１１２、高速通信アンテナ１１３、電力受信制御部１３０、又は、電力受信アンテナ１３１になっている。
【００８４】
図５は、図４の非接触通信メディア１０１の物理的な構成例を示す平面図である。
【００８５】
非接触通信メディア１０１は、略長方形状のカード底部材１３００と、そのカード底部材１３００と同様の形状の図示せぬ部材とを貼り合わせて、非接触通信メディア１００と同様に、クレジットカード程度のサイズのカード形状に構成されている。
【００８６】
カード底部材１３００には、図５に示すように、高速通信アンテナ１１１３、低速通信チップ１１２０、低速通信アンテナ１１２１、電力受信アンテナ１１３１、及び、メディア制御基板１３１０が配置される。
【００８７】
メディア制御基板１３１０には、メディア制御用CPU１１１０、不揮発メモリ１１１１、高速通信スレーブコントローラ１１１２、及び、電力受信制御部１１３０が配置される。
【００８８】
なお、低速通信アンテナ１１２１は、図５に示すように、カード底部材１３００の外周の内側部分に、コイル状に配置され、低速通信チップ１１２０と接続されており、低速通信チップ１１２０は、メディア制御基板１３１０に配置された各ブロックとは、独立して動作する。
【００８９】
また、カード底部材１３００の中心部分には、図５に示すように、高速通信アンテナ１１１３と、コイル状の電力受信アンテナ１１３１とが配置されている。
【００９０】
以上のように、旧型モデルの非接触通信メディア１０１は、図３に示した新型モデルの非接触通信メディア１００と同様に構成されている。
【００９１】
但し、図３（及び図２）の新型モデルの非接触通信メディア１００において、例えば、高速通信スレーブコントローラ１１２、高速通信アンテナ１１３、電力受信制御部１３０、及び、電力受信アンテナ１３１は、それぞれ、図５（及び図４）の旧型モデルの非接触通信メディア１０１の高速通信スレーブコントローラ１１１２、高速通信アンテナ１１１３、電力受信制御部１１３０、及び、電力受信アンテナ１１３１を改良したものになっている。
【００９２】
［RW２００の構成例］
【００９３】
図６は、図１のRW２００のハードウェアの構成例を示すブロック図である。
【００９４】
RW２００は、非接触通信メディア１００や１０１が高速通信を行うための電力を、無線電力伝送によって送信するマスタ通信装置として機能する。
【００９５】
RW２００は、RW制御用CPU２１０、高速通信マスタコントローラ２２０、高速通信アンテナ２２１、高速通信マスタコントローラ２２５、高速通信アンテナ２２６、低速通信コントローラ２３０、低速通信アンテナ２３１、電力送信制御部２４０、電力送信アンテナ２４１、電力送信制御部２４５、電力送信アンテナ２４６、セキュア処理コントローラ２５０、及び、電力監視部２６０を有する。
【００９６】
RW制御用CPU２１０は、例えば、USB等の所定のバスを介して、上位機器２９０と接続される。
【００９７】
さらに、RW制御用CPU２１０は、高速通信マスタコントローラ２２０及び２２５、低速通信コントローラ２３０、セキュア処理コントローラ２５０、並びに、電力監視部２６０とバスを介して接続されており、上位機器２９０からの制御等に従い、高速通信マスタコントローラ２２０及び２２５、低速通信コントローラ２３０、セキュア処理コントローラ２５０、並びに、電力監視部２６０を制御する。
【００９８】
また、RW制御用CPU２１０は、電力送信制御部２４０及び２４５それぞれと１本の汎用I/O(Input/Output)（インターフェース）で接続されており、電力監視部２６０から供給される情報等に従い、電力送信制御部２４０及び２４５を制御する。
【００９９】
高速通信マスタコントローラ２２０は、高速通信アンテナ２２１と接続されており、この高速通信アンテナ２２１を介して、無線により、新型モデルの非接触通信メディア１００（図２）の高速通信スレーブコントローラ１１２との間で、高速通信を行う第２のマスタ通信手段として機能する。
【０１００】
高速通信マスタコントローラ２２５は、高速通信アンテナ２２６と接続されており、この高速通信アンテナ２２６を介して、無線により、旧型モデルの非接触通信メディア１０１（図４）の高速通信スレーブコントローラ１１１２との間で、高速通信を行う第２のマスタ通信手段として機能する。
【０１０１】
したがって、高速通信マスタコントローラ２２０、及び、高速通信アンテナ２２１は、新型モデルをサポートし、高速通信マスタコントローラ２２５、及び、高速通信アンテナ２２６は、旧型モデルをサポートする。
【０１０２】
低速通信コントローラ２３０は、低速通信アンテナ２３１と接続されており、この低速通信アンテナ２３１を介して、無線により、非接触通信メディア１００（図２）の低速通信チップ１２０や、非接触通信メディア１０１（図４）の低速通信チップ１１２０との間で、低速通信を行う第１のマスタ通信手段として機能する。
【０１０３】
すなわち、低速通信コントローラ２３０は、低速通信アンテナ２３１から、RF信号を出力し、ポーリングをかける。
【０１０４】
一方、RW２００に、例えば、新型モデルの非接触通信メディア１００がかざされることによって、非接触通信メディア１００（の低速通信アンテナ１２１（図２））と、RW２００（の低速通信アンテナ２３１）とが近接すると、非接触通信メディア１００（図２）の低速通信チップ１２０は、RW２００の低速通信コントローラ２３０からのポーリングに対して応答するレスポンスを返す（負荷変調により送信する）。
【０１０５】
RW２００の低速通信コントローラ２３０は、非接触通信メディア１００の低速通信チップ１２０からのレスポンスを受信し、その旨を、RW制御用CPU２１０に知らせ、これにより、RW制御用CPU２１０は、非接触通信メディア１００が、RW２００に近接したことを認識する。
【０１０６】
RW２００に、旧型モデルの非接触通信メディア１０１が近接した場合も、非接触通信メディア１０１、及び、RW２００では、同様の処理が行われ、RW制御用CPU２１０は、非接触通信メディア１０１が、RW２００に近接したことを認識する。
【０１０７】
ここで、低速通信の通信方式として、例えば、上述のように、FeliCa（登録商標）を採用する場合、低速通信コントローラ２３０としては、FeliCa（登録商標）のRWが採用される。
【０１０８】
電力送信制御部２４０は、電力送信アンテナ２４１と接続されており、電力送信アンテナ２４１を介して、新型モデルの非接触通信メディア１００（図２）が高速通信を行うのに必要な電力を、無線電力伝送によって送信する。
【０１０９】
電力送信制御部２４５は、電力送信アンテナ２４６と接続されており、電力送信アンテナ２４６を介して、旧型モデルの非接触通信メディア１０１（図４）が高速通信を行うのに必要な電力を、無線電力伝送によって送信する。
【０１１０】
したがって、電力送信制御部２４０、及び、電力送信アンテナ２４１は、新型モデルをサポートし、電力送信制御部２４５，及び、電力送信アンテナ２４６は、旧型モデルをサポートする。
【０１１１】
セキュア処理コントローラ２５０は、耐タンパ性を有し、低速通信コントローラ２３０が低速通信を行うために必要な、例えば、通信路の暗号化等の処理であるセキュア処理を行う。
【０１１２】
ここで、低速通信の通信方式として、例えば、上述のように、FeliCa（登録商標）を採用する場合、セキュア処理コントローラ２５０としては、FeliCa（登録商標）のセキュア処理を行うセキュアチップが採用される。
【０１１３】
また、RW２００が動作するのに必要な電力は、上位機器２９０、又は、図示せぬ電源から、RW２００に供給される。
【０１１４】
なお、新型モデルをサポートする高速通信マスタコントローラ２２０、及び、高速通信アンテナ２２１が、それぞれ、旧型モデルをサポートする高速通信マスタコントローラ２２５、及び、高速通信アンテナ２２６としての機能をも有し、したがって、後方互換性を有する場合には、RW２００は、旧型モデルをサポートする高速通信マスタコントローラ２２５、及び、高速通信アンテナ２２６を設けずに構成することができる。
【０１１５】
同様に、新型モデルをサポートする電力送信制御部２４０、及び、電力送信アンテナ２４１が、それぞれ、旧型モデルをサポートする電力送信制御部２４５，及び、電力送信アンテナ２４６としての機能をも有し、したがって、後方互換性を有する場合には、RW２００は、旧型モデルをサポートする電力送信制御部２４５，及び、電力送信アンテナ２４６を設けずに構成することができる。
【０１１６】
電力監視部２６０は、RW制御用CPU２１０の制御に従い、電力送信制御部２４０や２４５が行う無線電力伝送によって、非接触通信メディア１００や１０１に供給される電力（非接触通信メディア１００や１０１が供給を受ける電力）を監視する。
【０１１７】
そして、電力監視部２６０は、無線電力伝送によって供給される電力が、閾値としての所定の電力を超える場合、その旨の情報を、RW制御用CPU２１０に供給する。
【０１１８】
［メディア構成情報］
【０１１９】
図７は、メディア構成情報のデータ構造の例を示す図である。
【０１２０】
ここで、メディア構成情報とは、非接触通信メディア１００や１０１の構成や機能等の、非接触通信メディア１００や１０１に関する情報である。非接触通信メディア１００には、その非接触通信メディア１００のメディア構成情報が記憶されており、非接触通信メディア１０１には、その非接触通信メディア１０１のメディア構成情報が記憶されている。
【０１２１】
非接触通信メディア１００では、メディア構成情報は、耐タンパ性を有する低速通信チップ１２０（図２）が内蔵する、図示せぬメモリ（不揮発メモリ）に記憶されている。非接触通信メディア１０１でも、同様に、メディア構成情報は、耐タンパ性を有する低速通信チップ１１２０（図４）が内蔵する、図示せぬメモリ（不揮発メモリ）に記憶されている。
【０１２２】
メディア構成情報は、例えば、図７に示すように、メディアリビジョン、構成情報リビジョン、構成情報パリティ、メディア個別ID、領域分割情報、不揮発メモリサイズ、最大消費電力、高速通信リビジョン、高速通信方式、高速通信アンテナ情報、無線電力伝送リビジョン、無線電力伝送方式、及び、無線電力伝送アンテナ情報等を含む。
【０１２３】
例えば、非接触通信メディア１００での低速通信チップ１２０（図２）に記憶されているメディア構成情報において、メディアリビジョンは、非接触通信メディア１００に付されているリビジョン番号を表す。
【０１２４】
構成情報リビジョンは、メディア構成情報に付されているリビジョン番号を表す。
【０１２５】
メディアリビジョンは、非接触通信メディア１００に変更があった場合に、構成情報リビジョンは、メディア構成情報に変更があった場合に、それぞれ、その変更のたびに、値が増加していく。
【０１２６】
構成情報パリティは、メディア構成情報全体のパリティであり、メディア構成情報の正当性をチェックするために使用される。
【０１２７】
メディア個別IDは、非接触通信メディア１００に割り当てられたユニークなIDであり、メディア個別IDとしては、例えば、１２８ビットのGUID(Globally Unique Identifier)等を採用することができる。
【０１２８】
領域分割情報は、非接触通信メディア１００の不揮発メモリ１１１（図２）の記憶領域が、どのように分割されているかを表す。
【０１２９】
すなわち、不揮発メモリ１１１の記憶領域は、例えば、平文のデータを記憶させる記憶領域や、平文のデータを暗号化した暗号化データを記憶させる記憶領域、AACS(Advanced Access Content System)等のDRM(Digital Rights Management)で保護されるコンテンツである保護コンテンツが記憶される保護コンテンツ領域等の、各種の属性の記憶領域に分割して使用することができる。
【０１３０】
領域分割情報には、不揮発メモリ１１１の記憶領域が、各属性の記憶領域に分割されている場合に、その各属性の記憶領域を特定するための情報等が含まれる。
【０１３１】
不揮発メモリサイズは、不揮発メモリ１１１の全容量を表す。
【０１３２】
最大消費電力は、非接触通信メディア１００が、高速通信を行うときに消費する最大の電力を表す。
【０１３３】
高速通信リビジョンは、非接触通信メディア１００が行う高速通信に付されているリビジョン番号を表す。
【０１３４】
高速通信方式は、非接触通信メディア１００が行う高速通信の通信方式の物理層やリンク層のプロトコルを表す。
【０１３５】
ここで、高速通信の通信方式としては、上述したように、TransferJetや、ワイヤレスUSB，Bluetooth等を採用することができる。
【０１３６】
高速通信アンテナ情報は、非接触通信メディア１００の高速通信アンテナ１１３（図２）に関する情報であり、高速通信アンテナ１１３の配置状態を含む。ここで、高速通信アンテナ１１３の配置状態には、高速通信アンテナ１１３が配置されている非接触通信メディア１００（のカード底部材３００（図３））上の位置と、高速通信アンテナ１１３の形状とが含まれる。
【０１３７】
無線電力伝送リビジョンは、非接触通信メディア１００が電力の供給を受けることができる無線電力伝送（非接触通信メディア１００がサポートしている無線電力伝送）に付されているリビジョン番号を表す。
【０１３８】
無線電力伝送方式は、非接触通信メディア１００が電力の供給を受けることができる無線電力伝送の方式を表し、その無線電力伝送が、電磁誘導型や磁気共鳴型等であることの情報を含む。
【０１３９】
無線電力伝送アンテナ情報は、非接触通信メディア１００の電力受信アンテナ１３１（図２）に関する情報であり、電力受信アンテナ１３１の配置状態を含む。
【０１４０】
以上のようなメディア構成情報は、上述したように、非接触通信メディア１００の低速通信チップ１２０が内蔵するメモリに記憶されている。
【０１４１】
そして、非接触通信メディア１００と、RW２００とが近接したときに、非接触通信メディア１００の低速通信チップ１２０と、RW２００の低速通信コントローラ２３０との間で行われる低速通信において、非接触通信メディア１００は、メディア構成情報を送信し、RW２００は、非接触通信メディア１００から送信されてくる、その非接触通信メディア１００のメディア構成情報を受信する。
【０１４２】
なお、低速通信チップ１２０として、上述したように、耐タンパ性を有するICチップを採用することにより、メディア構成情報の偽造を防止することができる。
【０１４３】
［非接触通信メディア１００とRW２００とが近接したときの、非接触通信メディア１００、及び、RW２００の処理］
【０１４４】
図８は、新型モデルの非接触通信メディア１００、及び、旧型モデルの非接触通信メディア１０１のうちの、例えば、新型モデルの非接触通信メディア１００が、RW２００にかざされること等により、RW２００と近接したときの、非接触通信メディア１００、及び、RW２００の処理を説明する図である。
【０１４５】
ここで、上位機器２９０と、RW２００とは、既に接続されており、上位機器２９０は、RW２００を（制御可能な外部機器として）正常に認識していることとする。
【０１４６】
RW２００（図６）のRW制御用CPU２１０は、上位機器２９０から正常に認識されると、非接触通信メディア１００や１０１がかざされること等によって近接することを待つメディア待ち状態となる。
【０１４７】
メディア待ち状態では、RW制御用CPU２１０は、低速通信コントローラ２３０を制御し、低速通信用のRF信号（低速通信用のキャリア）の、低速通信アンテナ２３１を介しての出力を開始させる。
【０１４８】
さらに、RW制御用CPU２１０は、低速通信コントローラ２３０を制御し、低速通信のポーリングを行わせる。
【０１４９】
非接触通信メディア１００や１０１が、RW２００に近接した状態にない場合、低速通信のポーリングに対する応答は、返ってこない。
【０１５０】
低速通信のポーリングに対する応答が返ってこない場合、低速通信コントローラ２３０は、低速通信のポーリングを、定期的に繰り返す。
【０１５１】
その後、新型モデルの非接触通信メディア１００、及び、旧型モデルの非接触通信メディア１０１のうちの、例えば、新型モデルの非接触通信メディア１００が、RW２００にかざされ、非接触通信メディア１００とRW２００とが近接すると、非接触通信メディア１００（図２）の低速通信チップ１２０は、RW２００からの低速通信のポーリングを受信し、その低速通信のポーリングに対する応答を、低速通信アンテナ１２１を介して返す。
【０１５２】
RW２００（図６）の低速通信コントローラ２３０は、非接触通信メディア１００の低速通信チップ１２０からのポーリングに対する応答を受信し、この応答の受信に応じて、非接触通信メディア１００や１０１等（の、低速通信が可能な通信装置）が近接した旨の通知（以下、近接通知ともいう）を、RW制御用CPU２１０に送信する。
【０１５３】
RW制御用CPU２１０は、低速通信コントローラ２３０から近接通知が送信されてくると、セキュア処理コントローラ２５０に、相互認証を要求する。
【０１５４】
セキュア処理コントローラ２５０は、RW制御用CPU２１０からの相互認証の要求に応じて、低速通信コントローラ２３０を制御し、これにより、非接触通信メディア１００の低速通信チップ１２０と、RW２００の低速通信コントローラ２３０との間では、図８に示すように、例えば、FeliCa（登録商標）で採用されている相互認証（のためのデータのやりとり）が行われる。
【０１５５】
そして、相互認証に成功したときのみ、その後の処理が行われ、相互認証に失敗したときには、その後の処理は、行われない。
【０１５６】
以上のように、相互認証を行うことによって、非接触通信メディア１００（や１０１）やRW２００として偽造された不正な機器と、非接触通信メディア１００（や１０１）、又は、RW２００との間で、コンテンツ等のデータが、高速通信によって、不正にやりとりされることを防止することができる。
【０１５７】
相互認証が成功すると、非接触通信メディア１００、及び、RW２００では、通信路が暗号化され、すなわち、データを暗号化するための暗号鍵が得られ、その暗号鍵で暗号化されたデータがやりとりされる通信路（以下、暗号通信路ともいう）が、非接触通信メディア１００の低速通信チップ１２０と、RW２００の低速通信コントローラ２３０（ひいては、セキュア処理コントローラ２５０）との間に確立（形成）され、非接触通信メディア１００と、RW２００との間では、その暗号通信路を介して、セキュアな低速通信を行うことができる。
【０１５８】
RW制御用CPU２１０は、相互認証が成功すると、メディア構成情報を要求するメディア構成情報取得要求５００を、低速通信コントローラ２３０に送信する。
【０１５９】
低速通信コントローラ２３０は、RW制御用CPU２１０からのメディア構成情報取得要求５００を受信し、そのメディア構成情報取得要求５００と同様の内容のメディア構成情報取得パケット５０１を、低速通信により送信する。
【０１６０】
低速通信コントローラ２３０が送信したメディア構成情報取得パケット５０１は、RW２００に近接した状態になっている非接触通信メディア１００の低速通信チップ１２０（図２）で受信される。
【０１６１】
非接触通信メディア１００（図２）の低速通信チップ１２０は、低速通信コントローラ２３０からのメディア構成情報取得パケット５０１を受信すると、その内蔵するメモリに記憶しているメディア構成情報（非接触通信メディア１００のメディア構成情報）を読み出す。
【０１６２】
なお、低速通信チップ１２０は、メディア構成情報の読み出しに失敗する等の、何らかの異常が発生した場合は、メディア構成情報取得パケット５０１に対応する応答であるメディア構成情報取得レスポンス５０２として、エラー（が生じた旨）を、低速通信によって、RW２００の低速通信コントローラ２３０に返す。
【０１６３】
低速通信チップ１２０は、内蔵するメモリから、メディア構成情報を読み出すと、そのメディア構成情報を含むメディア構成情報取得レスポンス５０２を、暗号通信路を介して、低速通信により送信する。
【０１６４】
すなわち、低速通信チップ１２０は、内蔵するメモリから読み出したメディア構成情報について、非接触通信メディア１００とRW２００との間の相互認証によって得られる暗号鍵を用いた暗号化（暗号通信路に則った暗号化）を行う。
【０１６５】
低速通信チップ１２０は、暗号化によって得られた暗号化データを含むメディア構成情報取得レスポンス５０２を、低速通信により送信する。
【０１６６】
以上のようにして、メディア構成情報は、暗号化データに暗号化されることで、セキュアに、非接触通信メディア１００からRW２００に送信される。
【０１６７】
低速通信チップ１２０が送信したメディア構成情報取得レスポンス５０２は、RW２００の低速通信コントローラ２３０（図６）で受信される。
【０１６８】
RW２００の低速通信コントローラ２３０（図６）は、低速通信チップ１２０からのメディア構成情報取得レスポンス５０２を受信すると、そのメディア構成情報取得レスポンス５０２と同様の内容のメディア構成情報取得レスポンス５０３を、メディア構成情報取得要求５００に対する応答として、RW制御用CPU２１０に返す。
【０１６９】
RW制御用CPU２１０は、低速通信コントローラ２３０からのメディア構成情報取得レスポンス５０３を受信し、そのメディア構成情報取得レスポンス５０３に、エラーが生じているかどうかをチェックする。
【０１７０】
ここで、メディア構成情報取得レスポンス５０３に、エラーが生じている場合、RW制御用CPU２１０は、その後の処理を行わない。
【０１７１】
メディア構成情報取得レスポンス５０３に、エラーが生じていない場合、RW制御用CPU２１０は、メディア構成情報取得レスポンス５０３に含まれる暗号化データを含み、その暗号化データの復号を要求するデータ復号要求５１０を、セキュア処理コントローラ２５０に供給する。
【０１７２】
セキュア処理コントローラ２５０は、RW制御用CPU２１０からのデータ復号要求５１０を受信し、そのデータ復号要求５１０に含まれる暗号化データについて、非接触通信メディア１００とRW２００との間の相互認証によって得られる暗号鍵を用いた復号（暗号通信路に則った復号）を行う。
【０１７３】
そして、セキュア処理コントローラ２５０は、復号の結果得られる、RW２００に近接した非接触通信メディア１００のメディア構成情報を含むデータ復号レスポンス５１１を、RW制御用CPU２１０に返す。
【０１７４】
RW制御用CPU２１０は、セキュア処理コントローラ２５０からのメディア構成情報（非接触通信メディア１００のメディア構成情報）を受信し、そのメディア構成情報を有する非接触通信メディア１００との間で、高速通信を行うかどうかを判定する。
【０１７５】
高速通信を行うかどうかの判定では、構成情報正当性判定（チェック）、高速通信可否判定、及び、無線電力伝送可否判定が行われる。
【０１７６】
すなわち、RW制御用CPU２１０は、まず、構成情報正当性判定を行う。
【０１７７】
構成情報正当性判定では、RW制御用CPU２１０は、非接触通信メディア１００のメディア構成情報に含まれるメディアリビジョン、構成情報リビジョン、構成情報パリティ、及び、最大消費電力（図７）をチェックする。
【０１７８】
そして、RW制御用CPU２１０は、メディアリビジョン、及び、構成情報リビジョンのうちの少なくとも一方が、RW２００がサポートしていないリビジョン番号である場合、高速通信を行わないと判定する。
【０１７９】
また、RW制御用CPU２１０は、構成情報パリティのパリティチェックの結果が、パリティエラーである場合も、高速通信を行わないと判定する。
【０１８０】
さらに、RW制御用CPU２１０は、最大消費電力が、RW２００が無線電力伝送によって供給することができる最大値を超えている場合も、高速通信を行わないと判定する。
【０１８１】
メディアリビジョン、及び、構成情報リビジョンの両方が、RW２００がサポートしているリビジョン番号であり、パリティエラーが生じず、かつ、最大消費電力が、RW２００が無線電力伝送によって供給することができる最大値を超えていない場合、RW制御用CPU２１０は、高速通信可否判定を行う。
【０１８２】
高速通信可否判定では、RW制御用CPU２１０は、非接触通信メディア１００のメディア構成情報に含まれる、高速通信に関する通信情報である高速通信リビジョン、高速通信方式、及び、高速通信アンテナ情報（図７）をチェックする。
【０１８３】
そして、RW制御用CPU２１０は、非接触通信メディア１００のメディア構成情報に含まれる高速通信リビジョン、高速通信方式、及び、高速通信アンテナ情報のうちのいずれか１つでも、RW２００がサポートしていない場合には、非接触通信メディア１００とRW２００との間で、高速通信を行うことができないため、高速通信を行わないと判定する。
【０１８４】
ここで、RW２００が、メディア構成情報に含まれる高速通信アンテナ情報をサポートしていない場合とは、その高速通信アンテナ情報から認識される高速通信アンテナ１１３の配置状態からすると、非接触通信メディア１００がRW２００に近接したときに、例えば、非接触通信メディア１００の高速通信アンテナ１１３（図２）と、RW２００の高速通信アンテナ２２１との位置ずれのずれ量が大きく、非接触通信メディア１００とRW２００との間で、十分なレベルの高速通信の信号の送受信を行うことができない場合である。
【０１８５】
すなわち、非接触通信メディア１００や１０１が近接されるRW２００の面（以下、近接面という）には、その近接面に、カード型等の非接触通信メディア１００や１０１をセットしやすいように、非接触通信メディア１００や１０１の形状よりやや大きめの形状の浅い窪みを設けることができる。
【０１８６】
この場合、非接触通信メディア１００や１０１は、RW２００の近接面に設けられた窪みに嵌めるようにセットされる。
【０１８７】
そして、RW２００は、例えば、非接触通信メディア１００が、RW２００の近接面に設けられた窪みに嵌めるようにセットされた場合に、非接触通信メディア１００のメディア構成情報に含まれる高速通信アンテナ情報から認識される高速通信アンテナ１１３の配置状態に基づいて、非接触通信メディア１００の高速通信アンテナ１１３（図２）と、RW２００の高速通信アンテナ２２１との位置ずれのずれ量が所定の閾値より大きいときに、RW２００が、メディア構成情報に含まれる高速通信アンテナ情報をサポートしていないと認識する。
【０１８８】
一方、非接触通信メディア１００のメディア構成情報に含まれる高速通信リビジョン、高速通信方式、及び、高速通信アンテナ情報のすべてを、RW２００がサポートしている場合、RW制御用CPU２１０は、無線電力伝送可否判定を行う。
【０１８９】
無線電力伝送可否判定では、RW制御用CPU２１０は、非接触通信メディア１００のメディア構成情報に含まれる、無線電力伝送に関する無線電力伝送情報である無線電力伝送リビジョン、無線電力伝送方式、及び、無線電力伝送アンテナ情報（図７）をチェックする。
【０１９０】
そして、RW制御用CPU２１０は、非接触通信メディア１００のメディア構成情報に含まれる無線電力伝送リビジョン、無線電力伝送方式、及び、無線電力伝送アンテナ情報のうちのいずれか１つでも、RW２００がサポートしていない場合には、無線電力伝送によって、必要な電力を、非接触通信メディア１００に供給することができないため、高速通信を行わないと判定する。
【０１９１】
一方、非接触通信メディア１００のメディア構成情報に含まれる無線電力伝送リビジョン、無線電力伝送方式、及び、無線電力伝送アンテナ情報のすべてを、RW２００がサポートしている場合、RW制御用CPU２１０は、高速通信を行うと判定する。
【０１９２】
RW制御用CPU２１０は、高速通信を行うと判定した場合、後述するように、無線電力伝送を開始し、その後、高速通信を開始する。
【０１９３】
また、RW制御用CPU２１０は、高速通信を行わないと判定した場合、以降の処理を行わない。
【０１９４】
したがって、RW２００は、メディア構成情報に含まれる高速通信リビジョン、高速通信方式、及び、高速通信アンテナ情報、並びに、無線電力伝送リビジョン、無線電力伝送方式、及び、無線電力伝送アンテナ情報のうちの１つでもサポートしていない場合には、無線電力伝送も、高速通信も行わないので、無駄な電力の消費を抑制することができる。
【０１９５】
すなわち、RW２００が、メディア構成情報に含まれる高速通信リビジョン、高速通信方式、及び、高速通信アンテナ情報、並びに、無線電力伝送リビジョン、無線電力伝送方式、及び、無線電力伝送アンテナ情報のうちの１つでもサポートしていない場合には、非接触通信メディア１００に対して、無線電力伝送により高速通信のための十分な電力を供給することができないか、又は、非接触通信メディア１００とRW２００との間で、高速通信を行うことができないので、結局、非接触通信メディア１００とRW２００との間では、高速通信を行うことができない。
【０１９６】
そして、非接触通信メディア１００とRW２００との間において、高速通信を行うことができないのに、RW２００において、無線電力伝送を開始することは、無駄な電力を消費することになる。
【０１９７】
そこで、上述のように、RW２００が、メディア構成情報に含まれる高速通信リビジョン、高速通信方式、及び、高速通信アンテナ情報、並びに、無線電力伝送リビジョン、無線電力伝送方式、及び、無線電力伝送アンテナ情報のうちの１つでもサポートしていない場合には、無線電力伝送を（、ひいては、高速通信も）行わないことで、RW２００において、無駄な電力が消費されることを抑制することができる。
【０１９８】
［無線電力伝送］
【０１９９】
図９は、RW２００が行う無線電力伝送の処理を説明する図である。
【０２００】
図８で説明したように、RW２００は、高速通信を行うと判定すると、無線電力伝送を開始する。
【０２０１】
すなわち、RW２００のRW制御用CPU２１０（図６）は、無線電力伝送によって、RW２００に近接した非接触通信メディア１００に供給される電力を監視することを要求する監視開始要求７００を、電力監視部２６０に送信する。
【０２０２】
ここで、RW制御用CPU２１０は、RW２００に近接した非接触通信メディア１００のメディア構成情報に含まれる最大消費電力から、その非接触通信メディア１００に供給する電力の閾値（以下、電力閾値ともいう）を設定する。
【０２０３】
例えば、メディア構成情報に含まれる最大消費電力そのもの、又は、その最大消費電力から所定のマージンを減算した減算値等が、電力閾値に設定される。
【０２０４】
そして、RW制御用CPU２１０は、電力閾値を、監視開始要求７００に含めて、電力監視部２６０に送信する。
【０２０５】
電力監視部２６０は、RW制御用CPU２１０からの監視開始要求７００を受信し、その監視開始要求７００に応じて、電力送信制御部２４０又は２４５が行う無線電力伝送によって、RW２００に近接した非接触通信メディア１００に供給される電力の監視を開始する。
【０２０６】
ここで、電力監視部２６０が監視する電力は、電力送信制御部２４０又は２４５が無線電力伝送によって供給する電力であっても良いが、本実施の形態では、電力送信制御部２４０又は２４５が無線電力伝送によって供給する電力のうちの、RW２００に近接した非接触通信メディア１００に供給される電力、つまり、非接触通信メディア１００が（実際に）供給を受ける電力であるとする。
【０２０７】
電力監視部２６０は、RW２００の、無線電力伝送用のRF信号を出力する電力送信アンテナ２４１又は２４６（図６）の配置状態、及び、RW２００に近接した非接触通信メディア１００の、無線電力伝送用のRF信号を受信する電力受信アンテナ１３１（図２）の配置状態等から、無線電力伝送による電力の伝送効率を推測し、その伝送効率と、電力送信制御部２４０又は２４５が無線電力伝送によって供給する電力とから、RW２００に近接した非接触通信メディア１００が供給を受ける電力（以下、受信電力ともいう）を算出する。
【０２０８】
その後、RW制御用CPU２１０は、RW２００に近接した非接触通信メディア１００のメディア構成情報に含まれる無線電力伝送リビジョン、無線電力伝送方式、及び、無線電力伝送アンテナ情報に基づいて、電力送信制御部２４０及び２４５の中から、RW２００に近接した非接触通信メディア１００への無線電力伝送に適した方を選択する。
【０２０９】
ここで、本実施の形態では、上述したように、非接触通信メディア１００は、新型モデルである。さらに、RW２００において、電力送信制御部２４０は、新型モデルをサポートし、電力送信制御部２４５は、旧型モデルをサポートする。
【０２１０】
このため、RW制御用CPU２１０では、RW２００に近接した非接触通信メディア１００のメディア構成情報に含まれる無線電力伝送リビジョン、無線電力伝送方式、及び、無線電力伝送アンテナ情報に基づき、電力送信制御部２４０及び２４５のうちの、新型モデルをサポートする電力送信制御部２４０が、RW２００に近接した非接触通信メディア１００への無線電力伝送に適した方として選択される。
【０２１１】
なお、例えば、RW２００において、新型モデルをサポートする電力送信制御部２４０と同様の複数の電力送信制御部が設けられており、その複数の電力送信制御部それぞれに、無線電力伝送のためのアンテナ（電力送信アンテナ）が接続されている場合に、非接触通信メディア１００に供給される電力の伝送効率が最も高いアンテナが接続された電力送信制御部を、非接触通信メディア１００への無線電力伝送に適したものとして選択するときや、新型モデルをサポートする電力送信制御部２４０に、無線電力伝送のための複数のアンテナが接続されている場合に、非接触通信メディア１００に供給される電力の伝送効率が最も高いアンテナを、非接触通信メディア１００への無線電力伝送に適したものとして選択するとき等に、無線電力伝送アンテナ情報が参照される。
【０２１２】
RW制御用CPU２１０は、電力送信制御部２４０を、RW２００に近接した非接触通信メディア１００への無線電力伝送に適した方として選択すると、その電力送信制御部２４０に対して、無線電力伝送の開始を指示する電力送信開始指示７１０を送信する。
【０２１３】
新型モデルをサポートする電力送信制御部２４０は、RW制御用CPU２１０からの電力送信開始指示７１０を受信し、その電力送信開始指示７１０に応じて、電力送信アンテナ２４１を介して、無線電力伝送のためのRF信号の出力を開始し、これにより、RW２００に近接した、新型モデルの非接触通信メディア１００への無線電力伝送が開始される。
【０２１４】
以上のように、非接触通信メディア１００（図２）の電力受信制御部１３０は、低速通信の開始後、RW２００の電力送信制御部２４０が開始する無線電力伝送によって送信されてくる電力を、電力受信アンテナ１３１を介して受信する。
【０２１５】
そして、電力受信制御部１３０は、無線電力伝送による電力の、メディア制御用CPU１１０、不揮発メモリ１１１、及び、高速通信スレーブコントローラ１１２への供給（電力供給）を開始する。
【０２１６】
メディア制御用CPU１１０、不揮発メモリ１１１、及び、高速通信スレーブコントローラ１１２は、電力受信制御部１３０からの電力を電源として、動作を開始する。
【０２１７】
なお、RW２００に近接したのが、新型モデルの非接触通信メディア１００（図２）ではなく、旧型モデルの非接触通信メディア１０１（図４）である場合には、RW２００のRW制御用CPU２１０では、RW２００に近接した非接触通信メディア１０１のメディア構成情報に含まれる無線電力伝送リビジョン、無線電力伝送方式、及び、無線電力伝送アンテナ情報に基づき、電力送信制御部２４０及び２４５のうちの、旧型モデルをサポートする電力送信制御部２４５が、RW２００に近接した非接触通信メディア１０１への無線電力伝送に適した方として選択される。
【０２１８】
そして、RW制御用CPU２１０は、RW２００に近接した非接触通信メディア１０１への無線電力伝送に適した方として選択された電力送信制御部２４５に対して、無線電力伝送の開始を指示する電力送信開始指示７１０を送信する。
【０２１９】
これにより、旧型モデルをサポートする電力送信制御部２４５は、電力送信アンテナ２４６を介して、無線電力伝送のためのRF信号の出力を開始し、これにより、RW２００に近接した旧型モデルの非接触通信メディア１０１への無線電力伝送が開始される。
【０２２０】
上述したように、電力監視部２６０は、RW２００に近接した非接触通信メディア１００が供給を受ける電力、すなわち、いまの場合、新型モデルをサポートする電力送信制御部２４０による無線電力伝送によって、RW２００に近接した非接触通信メディア１００が供給を受ける受信電力を監視している。
【０２２１】
そして、電力監視部２６０は、受信電力が、RW制御用CPU２１０によって最大消費電力から設定された電力閾値を超えた場合には、その旨を表す電力異常アラーム７２０を、RW制御用CPU２１０に通知する。
【０２２２】
RW制御用CPU２１０は、電力監視部２６０からの電力異常アラーム７２０を受信した場合、無線電力伝送の停止を指示する電力伝送停止指示７３０を、無線電力伝送を行っている電力送信制御部２４０に供給する。
【０２２３】
無線電力伝送を行っている電力送信制御部２４０は、RW制御用CPU２１０からの電力伝送停止指示７３０を受信した場合、無線電力伝送を停止する。
【０２２４】
以上のように、RW２００では、RW２００に近接した非接触通信メディア１００が供給を受ける受信電力が、最大消費電力から設定された電力閾値（例えば、最大消費電力そのもの）を超える場合に、無線電力伝送を停止するので、無駄な電力が消費されることを抑制することができる。
【０２２５】
すなわち、非接触通信メディア１００とRW２００とが近接した場合に、その非接触通信メディア１００とRW２００との間に、例えば、金属製のクリップ等の導体が挟まっていると、RW２００において、非接触通信メディア１００が高速通信に必要とする電力を上回る電力等の無駄な電力が、無線電力伝送によって、非接触通信メディア１００に供給されることがあり得る。
【０２２６】
RW２００では、受信電力が電力閾値を超える場合に、無線電力伝送が停止されるので、電力閾値を超えるような無駄な電力が、RW２００に近接した非接触通信メディア１００に供給されることを防止するとともに、そのような無駄な電力の消費を抑制することができる。
【０２２７】
ここで、図８で説明したように、RW２００(図６）において、低速通信コントローラ２３０は、RW２００に、非接触通信メディア１００や１０１が近接したことを検出するポーリングを行うために、低速通信用のRF信号を出力している。
【０２２８】
このため、RW２００において、電力送信制御部２４０（や２４５）が、無線電力伝送を開始すると、低速通信コントローラ２３０が出力する低速通信用のRF信号と、電力送信制御部２４０が無線電力伝送のために出力する無線電力伝送用のRF信号との間で、干渉を生じることがある。
【０２２９】
すなわち、GHz帯の回路の製造が簡単でないこと、数100KHzないし数MHzの周波数の回路の製造は容易であること、数100KHzないし数MHzの周波数の回路を構成するためのコンデンサ等の部品は安価であり、回路のコストを抑えることができること、等の理由により、無線電力伝送用のRF信号の周波数としては、例えば、数100KHzないし数MHz程度が採用される。
【０２３０】
RW２００（図３）の電力送信制御部２４０（や２４５）において、そのような周波数で無線電力伝送が行われる場合において、低速通信の通信方式として、例えば、上述したように、FeliCa（登録商標）が採用されているときには、FeliCa（登録商標）のキャリアの周波数は、13.56MHzであり、無線電力伝送用のRF信号の周波数と近いため、FeliCa（登録商標）のキャリア、つまり、低速通信用のRF信号と、無線電力伝送用のRF信号との間では、干渉を生じることがある。
【０２３１】
以上のように、低速通信用のRF信号と、無線電力伝送用のRF信号とが干渉を起こす場合には、その干渉を防止するために、RW２００の低速通信コントローラ２３０では、メディア構成情報の取得後（メディア構成情報取得レスポンス５０２（図８）の受信後）、無線電力伝送が開始される前に、低速通信用のRF信号の出力を停止することができる。
【０２３２】
なお、低速通信用のRF信号、及び、無線電力伝送用のRF信号それぞれとして、互いに干渉を生じない周波数のRF信号が採用される場合には、低速通信用のRF信号の出力は、停止しなくてもよい。
【０２３３】
［高速通信］
【０２３４】
図１０は、RW２００が行う高速通信の処理を説明する図である。
【０２３５】
図９で説明したように、RW２００において、RW２００に近接した非接触通信メディア１００への無線電力伝送が開始されると、非接触通信メディア１００（図２）では、電力受信制御部１３０が、無線電力伝送による電力を、メディア制御用CPU１１０、不揮発メモリ１１１、及び、高速通信スレーブコントローラ１１２に供給する。
【０２３６】
これにより、RW２００に近接した非接触通信メディア１００では、メディア制御用CPU１１０、不揮発メモリ１１１、及び、高速通信スレーブコントローラ１１２は、電力受信制御部１３０からの電力を電源として、動作を開始し、高速通信を行うことが可能な状態になる。
【０２３７】
一方、RW２００では、無線電力伝送が開始された後、RW制御用CPU２１０は、RW２００に近接した非接触通信メディア１００のメディア構成情報に含まれる高速通信リビジョン、高速通信方式、及び、高速通信アンテナ情報に基づいて、高速通信マスタコントローラ２２０及び２２５の中から、RW２００に近接した非接触通信メディア１００との高速通信に適した方を選択する。
【０２３８】
ここで、本実施の形態では、上述したように、非接触通信メディア１００は、新型モデルである。さらに、RW２００において、高速通信マスタコントローラ２２０は、新型モデルをサポートし、高速通信マスタコントローラ２２５は、旧型モデルをサポートする。
【０２３９】
このため、RW制御用CPU２１０では、RW２００に近接した非接触通信メディア１００のメディア構成情報に含まれる高速通信リビジョン、高速通信方式、及び、高速通信アンテナ情報に基づき、高速通信マスタコントローラ２２０及び２２５のうちの、新型モデルをサポートする高速通信マスタコントローラ２２０が、RW２００に近接した非接触通信メディア１００との高速通信に適した方として選択される。
【０２４０】
なお、例えば、RW２００において、新型モデルをサポートする高速通信マスタコントローラ２２０と同様の複数の高速通信マスタコントローラが設けられており、その複数の高速通信マスタコントローラそれぞれに、高速通信のためのアンテナ（高速通信アンテナ）が接続されている場合に、非接触通信メディア１００で受信される高速通信用のRF信号のレベルが最も高いアンテナが接続された高速通信マスタコントローラを、非接触通信メディア１００との高速通信に適したものとして選択するときや、新型モデルをサポートする高速通信マスタコントローラ２２０に、高速通信のための複数のアンテナが接続されている場合に、非接触通信メディア１００で受信される高速通信用のRF信号のレベルが最も高いアンテナを、非接触通信メディア１００との高速通信に適したものとして選択するとき等に、高速通信アンテナ情報が参照される。
【０２４１】
RW制御用CPU２１０は、高速通信マスタコントローラ２２０を、RW２００に近接した非接触通信メディア１００との高速通信に適した方として選択すると、その高速通信マスタコントローラ２２０に対して、高速通信のための初期化を要求する初期化コマンド９００を送信する。
【０２４２】
高速通信マスタコントローラ２２０は、RW制御用CPU２１０からの初期化コマンド９００を受信し、その初期化コマンド９００に応じて、必要な初期化を行う。
【０２４３】
さらに、その後、RW制御用CPU２１０は、高速通信を行うのに必要な情報を交換するネゴシエーションを要求するネゴシエーション開始コマンド９１０を、高速通信マスタコントローラ２２０に送信する。
【０２４４】
高速通信マスタコントローラ２２０は、RW制御用CPU２１０からのネゴシエーション開始コマンド９１０を受信し、そのネゴシエーション開始コマンド９１０に応じて、高速通信アンテナ２２１を介しての、高速通信用のRF信号の出力を開始し、高速通信を行うのに必要な情報等を要求するための、高速通信に必要な情報を含むリクエストパケット９１１を送信する。
【０２４５】
一方、非接触通信メディア１００（図２）では、メディア制御用CPU１１０、不揮発メモリ１１１、及び、高速通信スレーブコントローラ１１２が、電力受信制御部１３０からの電力を電源として、動作を開始し、必要な初期化を行って、RW２００からのリクエストパケット９１１を受信することが可能な状態となると、高速通信スレーブコントローラ１１２が、RW２００（図６）の高速通信マスタコントローラ２２０から送信されてくるリクエストパケット９１１を受信し、そのリクエストパケット９１１に対する応答としての、必要な情報を含むレスポンスパケット９２０を返す。
【０２４６】
RW２００（図３）の高速通信マスタコントローラ２２０は、非接触通信メディア１００の高速通信スレーブコントローラ１１２からのレスポンスパケット９２０を受信し、これにより、非接触通信メディア１００の高速通信スレーブコントローラ１１２と、RW２００の高速通信マスタコントローラ２２０との間では、高速通信が可能となる。
【０２４７】
RW２００の高速通信マスタコントローラ２２０は、非接触通信メディア１００の高速通信スレーブコントローラ１１２からのレスポンスパケット９２０を受信すると、高速通信のネゴシエーションが完了したことを表すネゴシエーション完了レスポンス９２１を、RW制御用CPU２１０に返す。
【０２４８】
以上により、非接触通信メディア１００（図２）の高速通信スレーブコントローラ１１２と、RW２００（図３）の高速通信マスタコントローラ２２０とでは、高速通信のための初期化が完了するとともに、コネクション（通信リンク）が確立し、高速通信によるデータ伝送（やりとり）が可能な状態となる。
【０２４９】
すなわち、RW２００のRW制御用CPU２１０は、RW２００の高速通信マスタコントローラ２２０、さらには、非接触通信メディア１００（図２）の高速通信スレーブコントローラ１１２、及び、メディア制御用CPU１１０を介して、不揮発メモリ１１１に、高速通信によってアクセスし、データを書き込むこと、及び、データを読み出すことができる。
【０２５０】
なお、RW２００に近接したのが、新型モデルの非接触通信メディア１００（図２）ではなく、旧型モデルの非接触通信メディア１０１（図４）である場合には、RW２００のRW制御用CPU２１０では、RW２００に近接した非接触通信メディア１０１のメディア構成情報に含まれる高速通信リビジョン、高速通信方式、及び、高速通信アンテナ情報に基づき、高速通信マスタコントローラ２２０及び２２５のうちの、旧型モデルをサポートする高速通信マスタコントローラ２２５が、RW２００に近接した非接触通信メディア１０１との高速通信に適した方として選択される。
【０２５１】
そして、RW２００において、旧型モデルの非接触通信メディア１０１との高速通信は、旧型モデルをサポートする高速通信マスタコントローラ２２５を用いて行われる。
【０２５２】
［RW２００の処理］
【０２５３】
図１１ないし図１３は、図６のRW２００の処理を説明するフローチャートである。
【０２５４】
なお、図１１のフローチャートは、図８で説明したRW２００の処理に、図１２のフローチャートは、図９で説明したRW２００の処理に、図１３のフローチャートは、図１０で説明したRW２００の処理に、それぞれ対応する。
【０２５５】
RW２００では、低速通信コントローラ２３０（図６）が、低速通信のポーリングを開始し、ステップＳ１１において、そのポーリングに対する応答を待つ状態になる。
【０２５６】
そして、例えば、非接触通信メディア１００が、RW２００に近接し、非接触通信メディア１００の低速通信チップ１２０（図２）が、RW２００からの低速通信のポーリングに対する応答を、RW２００に返すと、処理は、ステップＳ１１からステップＳ１２に進み、RW２００のRW制御用CPU２１０（図６）は、セキュア処理コントローラ２５０に、低速通信による相互認証を要求する。
【０２５７】
セキュア処理コントローラ２５０は、RW制御用CPU２１０からの相互認証の要求に応じて、非接触通信メディア１００の低速通信チップ１２０との間で、相互認証を行う。
【０２５８】
相互認証に失敗した場合、RW２００は、以降の処理を行わず、低速通信のポーリングを開始し、ステップＳ１１において、そのポーリングに対する応答を待つ状態になる。
【０２５９】
一方、相互認証に成功した場合、処理は、ステップＳ１２からステップＳ１３に進み、RW制御用CPU２１０は、低速通信コントローラ２３０を介した低速通信によって、RW２００に近接した非接触通信メディア１００のメディア構成情報を、非接触通信メディア１００から読み出し、処理は、ステップＳ１４に進む。
【０２６０】
ステップＳ１４では、RW制御用CPU２１０は、非接触通信メディア１００から、メディア構成情報を正常に読み出すことができたかどうかを判定し、正常に読み出すことができなかったと判定した場合（エラーが生じた場合）、処理は、ステップＳ２１に進む。
【０２６１】
また、ステップＳ１４において、非接触通信メディア１００から、メディア構成情報を正常に読み出すことができたと判定された場合、処理は、ステップＳ１５に進み、RW２００のRW制御用CPU２１０は、メディア構成情報に含まれるメディアリビジョン、構成情報リビジョン、構成情報パリティ、及び、最大消費電力をチェックする構成情報正当性判定を行い、処理は、ステップＳ１６に進む。
【０２６２】
ステップＳ１６では、RW制御用CPU２１０は、構成情報正当性判定の結果が、正常であるかどうかを判定する。
【０２６３】
ステップＳ１６において、構成情報正当性判定の結果が、正常でないと判定された場合、すなわち、メディアリビジョン、及び、構成情報リビジョンのうちの少なくとも一方が、RW２００がサポートしていないリビジョン番号である場合、構成情報パリティのパリティチェックの結果が、パリティエラーである場合、又は、最大消費電力が、RW２００が無線電力伝送によって供給することができる最大値を超えている場合、処理は、ステップＳ２１に進む。
【０２６４】
また、ステップＳ１６において、構成情報正当性判定の結果が、正常であると判定された場合、すなわち、メディアリビジョン、及び、構成情報リビジョンの両方が、RW２００がサポートしているリビジョン番号であり、パリティエラーが生じず、かつ、最大消費電力が、RW２００が無線電力伝送によって供給することができる最大値を超えていない場合、処理は、ステップＳ１７に進み、RW制御用CPU２１０は、メディア構成情報に含まれる高速通信リビジョン、高速通信方式、及び、高速通信アンテナ情報をチェックする高速通信可否判定を行い、処理は、ステップＳ１８に進む。
【０２６５】
ステップＳ１８では、RW制御用CPU２１０は、高速通信可否判定の結果に基づき、RW２００が、RW２００に近接した非接触通信メディア１００をサポートしているかどうかを判定する。
【０２６６】
ステップＳ１８において、RW２００が、RW２００に近接した非接触通信メディア１００をサポートしていないと判定された場合、すなわち、高速通信リビジョン、高速通信方式、及び、高速通信アンテナ情報のうちのいずれか１つでも、RW２００がサポートしていない場合、処理は、ステップＳ２１に進む。
【０２６７】
また、ステップＳ１８において、RW２００が、RW２００に近接した非接触通信メディア１００をサポートしていると判定された場合、すなわち、高速通信リビジョン、高速通信方式、及び、高速通信アンテナ情報のすべてを、RW２００がサポートしている場合、処理は、ステップＳ１９に進み、RW制御用CPU２１０は、メディア構成情報に含まれる無線電力伝送リビジョン、無線電力伝送方式、及び、無線電力伝送アンテナ情報をチェックする無線電力伝送可否判定を行い、処理は、ステップＳ２０に進む。
【０２６８】
ステップＳ２０では、RW制御用CPU２１０は、無線電力伝送可否判定の結果に基づき、RW２００が、RW２００に近接した非接触通信メディア１００をサポートしているかどうかを判定する。
【０２６９】
ステップＳ２０において、RW２００が、RW２００に近接した非接触通信メディア１００をサポートしていないと判定された場合、すなわち、無線電力伝送リビジョン、無線電力伝送方式、及び、無線電力伝送アンテナ情報のうちのいずれか１つでも、RW２００がサポートしていない場合、処理は、ステップＳ２１に進む。
【０２７０】
ステップＳ２１では、RW制御用CPU２１０は、所定のエラー処理を行い、その後、低速通信のポーリングを開始して、ステップＳ１１に戻り、ポーリングに対する応答を待つ状態になる。
【０２７１】
また、ステップＳ２０において、RW２００が、RW２００に近接した非接触通信メディア１００をサポートしていると判定された場合、すなわち、無線電力伝送リビジョン、無線電力伝送方式、及び、無線電力伝送アンテナ情報のすべてを、RW２００がサポートしている場合、処理は、図１２のステップＳ３１に進み、以下、RW２００は、無線電力伝送を行う。
【０２７２】
すなわち、図１２のステップＳ３１において、RW２００のRW制御用CPU２１０（図６）は、RW２００に近接した非接触通信メディア１００のメディア構成情報に含まれる最大消費電力から、その非接触通信メディア１００が供給を受ける受信電力の閾値である電力閾値を設定し、その電力閾値を、電力監視部２６０に供給することにより、無線電力伝送によって、RW２００に近接した非接触通信メディア１００が供給を受ける受信電力の監視を開始させる。
【０２７３】
その後、処理は、ステップＳ３１からステップＳ３２に進み、RW制御用CPU２１０は、RW２００に近接した非接触通信メディア１００のメディア構成情報に含まれる無線電力伝送リビジョン、無線電力伝送方式、及び、無線電力伝送アンテナ情報に基づいて、電力送信制御部２４０及び２４５の中から、RW２００に近接した新型モデルの非接触通信メディア１００への無線電力伝送に適した方として、新型モデルをサポートする電力送信制御部２４０を選択し、処理は、ステップＳ３３に進む。
【０２７４】
ステップＳ３３では、RW制御用CPU２１０は、ステップＳ３２で選択した電力送信制御部２４０に、無線電力伝送を開始させ、処理は、図１３のステップＳ４１に進む。
【０２７５】
なお、電力監視部２６０は、以上のようにして、電力送信制御部２４０が開始した無線電力伝送によって、RW２００に近接した非接触通信メディア１００が供給を受ける受信電力を監視している。そして、その受信電力が、電力閾値を超えた場合には、電力送信制御部２４０による無線電力伝送は、停止される。
【０２７６】
図１３のステップＳ４１では、RW制御用CPU２１０は、RW２００に近接した非接触通信メディア１００のメディア構成情報に含まれる高速通信リビジョン、高速通信方式、及び、高速通信アンテナ情報に基づいて、高速通信マスタコントローラ２２０及び２２５の中から、RW２００に近接した新型モデルの非接触通信メディア１００との高速通信に適した方として、新型モデルをサポートする高速通信マスタコントローラ２２０を選択し、処理は、ステップＳ４２に進む。
【０２７７】
ステップＳ４２では、RW制御用CPU２１０は、ステップＳ４１で選択した高速通信マスタコントローラ２２０に、高速通信を開始させる。
【０２７８】
そして、高速通信によって、RW２００から、非接触通信メディア１００の不揮発メモリ１１１に対する必要なデータの読み書きが終了するか、又は、非接触通信メディア１００が、RW２００から離れることによって、非接触通信メディア１００に、高速通信に必要な電力が供給されなくなり、非接触通信メディア１００からRW２００への応答が返ってこなくなった場合、RW２００は、無線電力伝送を停止する。
【０２７９】
さらに、RW２００は、低速通信のポーリングを開始して、処理は、図１１のステップＳ１１に戻り、ポーリングに対する応答を待つ状態になる。
【０２８０】
以上のように、非接触通信メディア１００（図２）では（非接触通信メディア１０１（図４）でも同様）、低速通信チップ１２０が、FeliCa（登録商標）等の低速通信によって、TransferJet（登録商標）等の高速通信で消費する最大消費電力を含む構成情報を、RW２００に送信し、電力受信制御部１３０が、RW２００との間で、低速通信が開始された後に、RW２００からの送信が開始される電力を受信し、高速通信スレーブコントローラ１１２が、電力受信制御部１３０によって受信された電力によって動作を開始し、RW２００との間で、高速通信を開始する。
【０２８１】
一方、RW２００（図６）では、低速通信コントローラ２３０が、低速通信によって、非接触通信メディア１００から、非接触通信メディア１００が高速通信で消費する最大消費電力を含む構成情報を受信し、電力送信制御部２４０が、非接触通信メディア１００との間で、低速通信が開始された後に、無線電力伝送を開始し、高速通信マスタコントローラ２２０が、無線電力伝送が開始された後に、非接触通信メディア１００との間で、高速通信を開始する。
【０２８２】
さらに、RW２００では、電力監視部２６０が、無線電力伝送によって、非接触通信メディア１００が供給を受ける受信電力を監視し、その受信電力が、最大消費電力から設定される電力閾値を超える場合、電力送信制御部２４０が、無線電力伝送を停止する。
【０２８３】
したがって、RW２００において、例えば、非接触通信メディア１００の最大消費電力を超える大きな電力を供給するような無線電力伝送が行われることにより、RW２００が、無駄な電力を消費することを抑制することができる。
【０２８４】
さらに、例えば、仮に、非接触通信メディア１００から、低速通信チップ１２０だけを取り出し（又は、非接触通信メディア１０１から、低速通信チップ１１２０だけを取り出し）、その低速通信チップ１２０を搭載した、偽造品の非接触通信メディアが製作された場合に、そのような偽造品の非接触通信メディアについても、RW２００が、無線電力伝送において、無駄な電力を消費することを抑制することができる。
【０２８５】
また、メディア構成情報には、非接触通信メディア１００が行う高速通信に関する通信情報としての、高速通信方式、及び、高速通信アンテナ情報や、非接触通信メディア１００が無線電力伝送によって電力の供給を受ける無線電力伝送に関する無線電力伝送情報としての、無線電力伝送方式、及び、無線電力伝送アンテナ情報等が含まれるので、RW２００では、そのメディア構成情報に基づいて、非接触通信メディア１００にとって適切な無線電力伝送、及び、高速通信を行うことができ、その結果、将来の技術革新により従来と互換性のない新しい非接触通信メディアが実現した場合に、後方互換性を維持することができる。
【０２８６】
すなわち、旧型モデルの非接触通信メディア１０１と、その旧型モデルの非接触通信メディア１０１のみをサポートする旧型モデルのRWとが販売された後、性能（機能）が向上した新型モデルの非接触通信メディア１００、すなわち、無線電力伝送方式の変更や、無線電力伝送のためのアンテナの形状の変更、高速通信方式の変更、高速通信のためのアンテナの形状の変更、リビジョンアップによる高速通信の通信プロトコルの変更等がされた非接触通信メディア１００と、その新型モデルの非接触通信メディア１００のみをサポートする新型モデルのRWとが開発されても、新型モデルの非接触通信メディア１００及びRWが、旧型モデルの非接触通信メディア１０１及びRWとの互換性を有しない場合には、新型モデルの非接触通信メディア１００及びRWを、市場に投入することが困難となる。
【０２８７】
旧型モデルの非接触通信メディア１０１は、旧型モデルのRWでしか使用することができず、新型モデルの非接触通信メディア１００は、やはり、新型モデルのRWでしか使用することができないためである。
【０２８８】
そこで、低速通信については、互換性を維持することを前提として、旧型モデル及び新型モデルの両方をサポートするRWを開発し、非接触通信メディアには、旧型モデルであるか、新型モデルであるかにかかわらず、メディア構成情報を記憶させ、RWにおいて、非接触通信メディアから、メディア構成情報を、低速通信により読み出すことで、そのメディア構成情報に基づいて、非接触通信メディアにとって適切な無線電力伝送、及び、高速通信を行うことが可能となる。
【０２８９】
なお、RW２００は、低速通信によって取得する、RW２００に近接している非接触通信メディア１００又は１０１のメディア構成情報に基づいて、RW２００に近接している非接触通信メディア１００又は１０１の無線電力伝送方式をサポートしているかどうかをチェックし、サポートしている場合には、無線電力伝送を行い、サポートしていない場合には、無線電力伝送（、及び、高速通信）を行わない。
【０２９０】
また、RW２００は、低速通信によって取得する、RW２００に近接している非接触通信メディア１００又は１０１のメディア構成情報に基づいて、RW２００に近接している非接触通信メディア１００又は１０１の高速通信方式をサポートしているかどうかをチェックし、サポートしている場合には、高速通信を行い、サポートしていない場合には、高速通信を行わない。
【０２９１】
したがって、非接触通信メディア１００又は１０１と、RW２００とが近接した場合に、メディア構成情報を、非接触通信メディア１００又は１０１から送信し、RW２００で受信する低速通信は、無線電力伝送、及び、高速通信を行うかどうかの、いわばインテリジェンススイッチとして機能する、ということができる。
【０２９２】
ここで、非接触通信メディア１００（図２）のメディア制御用CPU１１０、非接触通信メディア１０１（図４）のメディア制御用CPU１１１０、及び、RW２００のRW制御用CPU２１０は、上述した各処理を、プログラムを実行することで行うが、このプログラムは、リムーバブル記録媒体からインストールすることや、インターネット上のサイトや、放送波等からダウンロードしてインストールすること等が可能である。
【０２９３】
なお、本発明の実施の形態は、上述した実施の形態に限定されるものではなく、本発明の要旨を逸脱しない範囲において種々の変更が可能である。
【符号の説明】
【０２９４】
１００，１０１  非接触通信メディア，  １１０  メディア制御用CPU，  １１１  不揮発メモリ，  １１２  高速通信スレーブコントローラ，  １１３  高速通信アンテナ，  １２０  低速通信チップ，  １２１  低速通信アンテナ，  １３０  電力受信制御部，  １３１  電力受信アンテナ，  ２００  RW，  ２１０  RW制御用CPU，  ２２０  高速通信マスタコントローラ，  ２２１  高速通信アンテナ２２１，  ２２５  高速通信マスタコントローラ，  ２２６  高速通信アンテナ２２１，  ２３０  低速通信コントローラ，  ２３１  低速通信アンテナ，  ２４０  電力送信制御部，  ２４１  電力送信アンテナ，  ２４５  電力送信制御部，  ２４６  電力送信アンテナ，  ２９０  上位機器，  ３００  カード底部材，  ３１０  メディア制御基板，  １１１０  メディア制御用CPU，  １１１１  不揮発メモリ，  １１１２  高速通信スレーブコントローラ，  １１１３  高速通信アンテナ，  １１２０  低速通信チップ，  １１２１  低速通信アンテナ，  １１３０  電力受信制御部，  １１３１  電力受信アンテナ，  １３００  カード底部材，  １３１０  メディア制御基板
【図１】
0005471700.tif 000002
【図２】
0005471700.tif 000003
【図３】
0005471700.tif 000004
【図４】
0005471700.tif 000005
【図５】
0005471700.tif 000006
【図６】
0005471700.tif 000007
【図７】
0005471700.tif 000008
【図８】
0005471700.tif 000009
【図９】
0005471700.tif 000010
【図１０】
0005471700.tif 000011
【図１１】
0005471700.tif 000012
【図１２】
0005471700.tif 000013
【図１３】
0005471700.tif 000014